(57)【要約】【課題】ＨＤＲ画像とＳＤＲ画像の混在した出力を回避し、均一画質の画像出力を実現する。【解決手段】情報記録媒体に記録するメインコンテンツがＨＤＲ画像である場合、メインコンテンツに併せて情報記録媒体に記録するサブコンテンツの構成画素値であるＲＧＢ値を、規定の変換規則（ＩＴＵ−Ｒ）に従ってＨＤＲ画像対応のＹＣｂＣｒ信号から変換されるＲＧＢ値に設定する。再生装置は、サブコンテンツの出力画像生成処理において、サブコンテンツソースから出力されるサブコンテンツの構成画素値であるＲＧＢ値を、フォーマット変換部に入力し、規定の変換規則（ＩＴＵ−Ｒ）に従ってＨＤＲ画像対応のＹＣｂＣｒ信号に変換し、変換信号を用いて出力画像信号を生成する。【選択図】図２０
2017097941.tif 000002
【特許請求の範囲】
【請求項１】
情報記録媒体記録データの再生処理を実行するデータ処理部を有し、
前記データ処理部は、
情報記録媒体に記録されたメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する情報処理装置。
【請求項２】
前記規定の変換規則はＩＴＵ−Ｒ勧告に従った変換規則である請求項１に記載の情報処理装置。
【請求項３】
前記サブコンテンツソースの出力する構成画素値であるＲＧＢの各値は、
ＨＤＲ画像相当のＢＴ．２０２０−ＹＣｂＣｒ信号に基づいて、ＩＴＵ−Ｒ勧告に従った変換規則であるＲＧＢ−ＹＣｂＣｒ変換規則に従って算出される変換値としてのＲＧＢ値である請求項２に記載の情報処理装置。
【請求項４】
前記サブコンテンツソースの出力する構成画素値であるＲＧＢの各値は、
ＨＤＲ画像対応の信号−輝度対応曲線（ＳＭＰＴＥ  ２０８４  ＥＯＴＦカーブ）に従った信号値である請求項３に記載の情報処理装置。
【請求項５】
前記データ処理部は、
前記メインコンテンツがＳＤＲ（Ｓｔａｎｄａｒｄ  Ｄｙｎａｍｉｃ  Ｒａｎｇｅ）画像である場合、
メインコンテンツに併せて再生するサブコンテンツの出力画像生成処理において、サブコンテンツソースから出力されるサブコンテンツの構成画素値であるＲＧＢ値を、ＳＤＲ画像相当のＢＴ．７０９−ＹＣｂＣｒ信号、または、ＢＴ．１８８６ＹＣｂＣｒ信号に変換し、変換信号を用いて出力画像信号を生成する請求項１に記載の情報処理装置。
【請求項６】
情報記録媒体記録データの生成処理を実行するデータ処理部を有し、
前記データ処理部は、
情報記録媒体に記録するメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する情報処理装置。
【請求項７】
前記規定の変換規則はＩＴＵ−Ｒ勧告に従った変換規則である請求項６に記載の情報処理装置。
【請求項８】
前記サブコンテンツの構成画素値であるＲＧＢの各値は、
ＨＤＲ画像相当のＢＴ．２０２０−ＹＣｂＣｒ信号に基づいて、ＩＴＵ−Ｒ勧告に従った変換規則であるＲＧＢ−ＹＣｂＣｒ変換規則に従って算出される変換値である請求項７に記載の情報処理装置。
【請求項９】
前記サブコンテンツの構成画素値であるＲＧＢの各値は、
ＨＤＲ画像対応の信号−輝度対応曲線（ＳＭＰＴＥ  ２０８４  ＥＯＴＦカーブ）に従った信号値である請求項８に記載の情報処理装置。
【請求項１０】
前記データ処理部は、
前記メインコンテンツがＳＤＲ（Ｓｔａｎｄａｒｄ  Ｄｙｎａｍｉｃ  Ｒａｎｇｅ）画像である場合、
メインコンテンツに併せて情報記録媒体に記録するサブコンテンツの生成処理において、
サブコンテンツの構成画素値であるＲＧＢ値を、ＳＤＲ画像相当のＢＴ．７０９色空間、または、ＢＴ．１８８６色空間に対応するＲＧＢ値を有する設定とする請求項６に記載の情報処理装置。
【請求項１１】
メインコンテンツ、およびメインコンテンツに併せて再生されるサブコンテンツを記録した情報記録媒体であり、
前記メインコンテンツがＨＤＲ（Ｈｉｇｈ  Ｄｙｎａｍｉｃ  Ｒａｎｇｅ）画像である場合、
前記サブコンテンツは、サブコンテンツ構成画素値であるＲＧＢ値が、規定の変換規則に従ってＨＤＲ画像対応のＹＣｂＣｒ信号から変換されるＲＧＢ値として設定されたサブコンテンツであり、
情報記録媒体からのコンテンツ再生を実行する再生装置において、再生するメインコンテンツとサブコンテンツの双方をＨＤＲ画像として出力可能とした情報記録媒体。
【請求項１２】
前記規定の変換規則はＩＴＵ−Ｒ勧告に従った変換規則である請求項１１に記載の情報記録媒体。
【請求項１３】
前記サブコンテンツの構成画素値であるＲＧＢの各値は、
ＨＤＲ画像相当のＢＴ．２０２０−ＹＣｂＣｒ信号に基づいて、ＩＴＵ−Ｒ勧告に従った変換規則であるＲＧＢ−ＹＣｂＣｒ変換規則に従って算出される変換値である請求項１２に記載の情報記録媒体。
【請求項１４】
前記サブコンテンツの構成画素値であるＲＧＢの各値は、
ＨＤＲ画像対応の信号−輝度対応曲線（ＳＭＰＴＥ  ２０８４  ＥＯＴＦカーブ）に従った信号値である請求項１３に記載の情報記録媒体。
【請求項１５】
前記メインコンテンツがＳＤＲ（Ｓｔａｎｄａｒｄ  Ｄｙｎａｍｉｃ  Ｒａｎｇｅ）画像である場合、
前記サブコンテンツは、サブコンテンツ構成画素値であるＲＧＢ値が、ＳＤＲ画像相当のＢＴ．７０９色空間、または、ＢＴ．１８８６色空間に対応するＲＧＢ値を有する設定であり、
情報記録媒体からのコンテンツ再生を実行する再生装置において、再生するメインコンテンツとサブコンテンツの双方をＳＤＲ画像として出力可能とした請求項１１に記載の情報記録媒体。
【請求項１６】
情報処理装置において実行する情報処理方法であり、
前記情報処理装置は、情報記録媒体記録データの再生処理を実行するデータ処理部を有し、
前記データ処理部は、
情報記録媒体に記録されたメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する情報処理方法。
【請求項１７】
情報処理装置において実行する情報処理方法であり、
前記情報処理装置は、情報記録媒体記録データの生成処理を実行するデータ処理部を有し、
前記データ処理部は、
情報記録媒体に記録するメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する情報処理方法。
【請求項１８】
情報処理装置において情報処理を実行させるプログラムであり、
前記情報処理装置は、情報記録媒体記録データの再生処理を実行するデータ処理部を有し、
前記プログラムは、前記データ処理部に、
情報記録媒体に記録されたメインコンテンツがＨＤＲ（Ｈｉｇｈ  Ｄｙｎａｍｉｃ  Ｒａｎｇｅ）画像であるか否かを判定する処理を実行させ、
メインコンテンツがＨＤＲ画像である場合、さらに、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する処理を実行させるプログラム。
【請求項１９】
情報処理装置において情報処理を実行させるプログラムであり、
前記情報処理装置は、情報記録媒体記録データの生成処理を実行するデータ処理部を有し、
前記プログラムは、前記データ処理部に、
情報記録媒体に記録するメインコンテンツがＨＤＲ（Ｈｉｇｈ  Ｄｙｎａｍｉｃ  Ｒａｎｇｅ）画像であるか否かを判定する処理を実行させ、
メインコンテンツがＨＤＲ画像である場合、さらに、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する処理を実行させるプログラム。
【請求項２０】
情報記録媒体記録データの再生処理を実行するデータ処理部を有し、
前記データ処理部は、
前記情報記録媒体に記録されたメインコンテンツ画像とサブコンテンツ画像を重畳したコンテンツ重畳型出力画像の生成処理を実行する構成であり、
前記データ処理部は、
前記メインコンテンツ画像の色空間がＢＴ．７０９である場合、前記サブコンテンツ画像と前記メインコンテンツ画像の色空間を同じ色空間に設定して前記コンテンツ重畳型出力画像を生成し、
前記メインコンテンツ画像の色空間がＢＴ．２０２０である場合、前記サブコンテンツ画像の色空間をＢＴ．２０２０へ変換することなく前記コンテンツ重畳型出力画像を生成する情報処理装置。
【請求項２１】
前記データ処理部は、
前記メインコンテンツ画像のダイナミックレンジがＨＤＲ（Ｈｉｇｈ  Ｄｙｎａｍｉｃ  Ｒａｎｇｅ）画像対応のダイナミックレンジである場合、前記サブコンテンツ画像のダイナミックレンジをＨＤＲ画像対応のダイナミックレンジへ変換することなく前記コンテンツ重畳型出力画像を生成する請求項２０に記載の情報処理装置。
【発明の詳細な説明】
【技術分野】
【０００１】
本開示は、情報処理装置、情報記録媒体、および情報処理方法、並びにプログラムに関する。さらに詳細には、従来のＳＤＲ（Ｓｔａｎｄａｒｄ  Ｄｙｎａｍｉｃ  Ｒａｎｇｅ）画像より出力可能な色や輝度範囲が拡大されたＨＤＲ（Ｈｉｇｈ  Ｄｙｎａｍｉｃ  Ｒａｎｇｅ）画像の出力に適用する情報処理装置、情報記録媒体、および情報処理方法、並びにプログラムに関する。
【背景技術】
【０００２】
映画や音楽等、様々なコンテンツを記録する情報記録媒体（メディア）として、ＤＶＤ(Digital Versatile Disc)や、ＢＤ（Ｂｌｕ−ｒａｙ（登録商標）  Ｄｉｓｃ）が多く利用されている。
【０００３】
映画などのコンテンツを予め記録したメディアであるＢＤ−ＲＯＭには、例えば高画質画像であるＨＤ（Ｈｉｇｈ  Ｄｅｆｉｎｉｔｉｏｎ）画像に併せて音声、字幕等のデータが記録される。
現行のＢＤ−ＲＯＭは、主にＨＤ画像、いわゆるハイビジョン対応の２Ｋ画像が記録されているものが多いが、今後、高画質化が進み、超高精細画像（ＵＨＤ：Ｕｌｔｒａ  Ｈｉｇｈ  Ｄｅｆｉｎｉｔｉｏｎ画像）を記録したメディアが増加することが予想される。
【０００４】
なお、超高精細画像（ＵＨＤ画像）は、例えば、４Ｋや８Ｋ等の高解像度画像が代表的な例であるが、これらの高解像度画像に限らず、出力輝度レベルが拡張された広ダイナミックレンジ画像や、出力色空間の広い画像等もＵＨＤ画像と呼ばれる。
今後は、このＵＨＤ画像を記録したメディアが増加することが予想される。
なお、ＢＤを利用したデータ記録再生処理や、４Ｋ画像については、例えば特許文献１（特開２０１１−０２３０７１号公報）等に記載がある。
【０００５】
超高精細画像（ＵＨＤ画像）には、例えば、出力可能な色や輝度範囲を拡大したＨＤＲ（Ｈｉｇｈ  Ｄｙｎａｍｉｃ  Ｒａｎｇｅ）画像が多く利用されることが推定される。
なお、ＨＤＲ画像より出力可能な色や輝度範囲が狭い従来の画像は、ＳＤＲ（Ｓｔａｎｄａｒｄ  Ｄｙｎａｍｉｃ  Ｒａｎｇｅ）画像と呼ばれる。
【０００６】
ＨＤＲ画像は、従来型のＳＤＲ画像に比較して、出力可能な色や、出力可能な輝度範囲が拡張されており、人間の眼で見た実際の情景と同様の、より自然な画像の出力が可能となっている。
例えば、ＳＤＲ画像の出力可能な色範囲は、色空間規定：ＢＴ．７０９色空間の範囲内の色である。一方、ＨＤＲ画像は、ＢＴ７０９より広いＢＴ．２０２０色空間の色を出力可能な設定である。
【０００７】
しかし、例えば複数のコンテンツを記録するディスク、例えばＢＤ（Ｂｌｕ−ｒａｙ（登録商標）  Ｄｉｓｃ）などのディスクにおいては、例えば、本編となる映画等のメインコンテンツについてはＨＤＲ画像として記録し、その他のサブコンテンツはＳＤＲ画像として記録するといった異なる画質のコンテンツが混在することが想定される。
【０００８】
具体的には、メインコンテンツとともにＢＤに格納されるサブコンテンツ、例えばＪａｖａ（登録商標）プログラムであるＢＤ−Ｊによって生成されるサブコンテンツが、ＳＤＲ画像からなるコンテンツであるといった構成が想定される。
【０００９】
ＢＤ−Ｊは、例えば、メニュー画面の出力処理や、サムネイル画像や、アニメーション画像の出力処理を実行するプログラム等、様々なデータを出力するプログラムとして、メインコンテンツに付属するプログラムとしてディスク（ＢＤ）に記録される。
【００１０】
ＢＤに記録されたメインコンテンツである映画等のコンテンツがＨＤＲ画像であり、ＢＤ−ＪがＳＤＲ画像の出力処理を実行するプログラムである場合、例えば再生画像を表示するテレビの画面には、ＨＤＲ画像としてメインの映画コンテンツが表示され、その一部にＢＤ−Ｊの実行によって生成されたＳＤＲ画像であるメニュー画面が表示される。
【先行技術文献】
【特許文献】
【００１１】
【特許文献１】特開２０１１−０２３０７１号公報
【発明の概要】
【発明が解決しようとする課題】
【００１２】
しかし、前述したように、ＨＤＲ画像とＳＤＲ画像では、出力可能な色範囲が異なり、例えば同じ赤色でもＨＤＲ画像表示領域とＳＤＲ画像表示領域では、色味が異なってしまい、視聴者に違和感を発生させてしまうといった事態が起こり得る。
本開示は、例えば、上述の問題点に鑑みてなされたものであり、映画等の第１コンテンツであるＨＤＲ（Ｈｉｇｈ  Ｄｙｎａｍｉｃ  Ｒａｎｇｅ）画像と、メニュー等の第２コンテンツの画像の色合い等に大きな差分を発生させることのないコンテンツ出力を実現する情報処理装置、情報記録媒体、および情報処理方法、並びにプログラムを提供することを目的とする。
【００１３】
また、メインコンテンツがＨＤＲ画像又はＳＤＲ画像となり、サブコンテンツもＨＤＲ画像又はＳＤＲ画像となる。さらに、ＨＤＲ画像とＳＤＲ画像のいずれでも、実際に使われる色空間については、様々な組み合わせが存在することが想定される。
従って、本開示は、例えば、メインコンテンツ及びサブコンテンツの画像において、ダイナミックレンジ及び色空間の様々な組み合わせが存在する中で、情報処理装置の処理負担、コンテンツ作成者の負担及び視聴者の違和感を考慮した情報処理装置、情報記録媒体、および情報処理方法、並びにプログラムを提供することを目的とする。
【課題を解決するための手段】
【００１４】
本開示の第１の側面は、
情報記録媒体記録データの再生処理を実行するデータ処理部を有し、
前記データ処理部は、
情報記録媒体に記録されたメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する情報処理装置にある。
【００１５】
さらに、本開示の第２の側面は、
情報記録媒体記録データの生成処理を実行するデータ処理部を有し、
前記データ処理部は、
情報記録媒体に記録するメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する情報処理装置にある。
【００１６】
さらに、本開示の第３の側面は、
メインコンテンツ、およびメインコンテンツに併せて再生されるサブコンテンツを記録した情報記録媒体であり、
前記メインコンテンツがＨＤＲ（Ｈｉｇｈ  Ｄｙｎａｍｉｃ  Ｒａｎｇｅ）画像である場合、
前記サブコンテンツは、サブコンテンツ構成画素値であるＲＧＢ値が、規定の変換規則に従ってＨＤＲ画像対応のＹＣｂＣｒ信号から変換されるＲＧＢ値として設定されたサブコンテンツであり、
情報記録媒体からのコンテンツ再生を実行する再生装置において、再生するメインコンテンツとサブコンテンツの双方をＨＤＲ画像として出力可能とした情報記録媒体にある。
【００１７】
さらに、本開示の第４の側面は、
情報処理装置において実行する情報処理方法であり、
前記情報処理装置は、情報記録媒体記録データの再生処理を実行するデータ処理部を有し、
前記データ処理部は、
情報記録媒体に記録されたメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する情報処理方法にある。
【００１８】
さらに、本開示の第５の側面は、
情報処理装置において実行する情報処理方法であり、
前記情報処理装置は、情報記録媒体記録データの生成処理を実行するデータ処理部を有し、
前記データ処理部は、
情報記録媒体に記録するメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する情報処理方法にある。
【００１９】
さらに、本開示の第６の側面は、
情報処理装置において情報処理を実行させるプログラムであり、
前記情報処理装置は、情報記録媒体記録データの再生処理を実行するデータ処理部を有し、
前記プログラムは、前記データ処理部に、
情報記録媒体に記録されたメインコンテンツがＨＤＲ（Ｈｉｇｈ  Ｄｙｎａｍｉｃ  Ｒａｎｇｅ）画像であるか否かを判定する処理を実行させ、
メインコンテンツがＨＤＲ画像である場合、さらに、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する処理を実行させるプログラムにある。
【００２０】
さらに、本開示の第７の側面は、
情報処理装置において情報処理を実行させるプログラムであり、
前記情報処理装置は、情報記録媒体記録データの生成処理を実行するデータ処理部を有し、
前記プログラムは、前記データ処理部に、
情報記録媒体に記録するメインコンテンツがＨＤＲ（Ｈｉｇｈ  Ｄｙｎａｍｉｃ  Ｒａｎｇｅ）画像であるか否かを判定する処理を実行させ、
メインコンテンツがＨＤＲ画像である場合、さらに、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する処理を実行させるプログラムにある。
【００２１】
さらに、本開示の第８の側面は、
情報記録媒体記録データの再生処理を実行するデータ処理部を有し、
前記データ処理部は、
前記情報記録媒体に記録されたメインコンテンツ画像とサブコンテンツ画像を重畳したコンテンツ重畳型出力画像の生成処理を実行する構成であり、
前記データ処理部は、
前記メインコンテンツ画像の色空間がＢＴ．７０９である場合、前記サブコンテンツ画像と前記メインコンテンツ画像の色空間を同じ色空間に設定して前記コンテンツ重畳型出力画像を生成し、
前記メインコンテンツ画像の色空間がＢＴ．２０２０である場合、前記サブコンテンツ画像の色空間をＢＴ．２０２０へ変換することなく前記コンテンツ重畳型出力画像を生成する情報処理装置にある。
また、前記データ処理部は、
前記メインコンテンツ画像のダイナミックレンジがＨＤＲ（Ｈｉｇｈ  Ｄｙｎａｍｉｃ  Ｒａｎｇｅ）画像対応のダイナミックレンジである場合、前記サブコンテンツ画像のダイナミックレンジをＨＤＲ画像対応のダイナミックレンジへ変換することなく前記コンテンツ重畳型出力画像を生成する情報処理装置である。
【００２２】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００２３】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２４】
本開示の一実施例の構成によれば、ＨＤＲ画像とＳＤＲ画像の混在した出力が回避され、均一画質の画像出力が実現される。
具体的には、情報記録媒体に記録するメインコンテンツがＨＤＲ画像である場合、メインコンテンツに併せて情報記録媒体に記録するサブコンテンツの構成画素値であるＲＧＢ値を、規定の変換規則（ＩＴＵ−Ｒ）に従ってＨＤＲ画像対応のＹＣｂＣｒ信号から変換されるＲＧＢ値に設定する。再生装置は、サブコンテンツの出力画像生成処理において、サブコンテンツソースから出力されるサブコンテンツの構成画素値であるＲＧＢ値を、フォーマット変換部に入力し、規定の変換規則（ＩＴＵ−Ｒ）に従ってＨＤＲ画像対応のＹＣｂＣｒ信号に変換し、変換信号を用いて出力画像信号を生成する。
本構成により、ＨＤＲ画像とＳＤＲ画像の混在した出力が回避され、均一画質の画像出力が実現される。
また、本開示の一実施例の構成によれば、ダイナミックレンジ変換処理と色空間処理を禁止することで、情報処理装置の負荷、コンテンツ作成者の負荷を減らすことができる。
具体的には、メインコンテンツがＨＤＲ画像であっても、サブコンテンツのＳＤＲ画像のダイナミック変換処理を行わない。また、メインコンテンツが広い色域空間であるＢＴ．２０２０に準拠した画像であっても、サブコンテンツのＢＴ．７０９に準拠した画像の広色域変換処理を行わない。
なお、本明細書に記載された効果はあくまで例示であって限定されるものではなく、また付加的な効果があってもよい。
【図面の簡単な説明】
【００２５】
【図１】ＢＤ（Ｂｌｕ−ｒａｙ（登録商標）  Ｄｉｓｃ）に記録されるデータの一構成例について説明する図である。
【図２】情報記録媒体（ディスク）に記録されるデータの対応関係と再生処理例について説明する図である。
【図３】ＨＤＲ画像とＳＤＲ画像の入出力（信号値−輝度）の対応関係について説明する図である。
【図４】ＨＤＲ画像の画像生成、記録処理について説明する図である。
【図５】色空間について説明する図である。
【図６】ＨＤＲ画像の画像再生処理について説明する図である。
【図７】ＳＤＲ画像の画像生成、記録処理について説明する図である。
【図８】ＳＤＲ画像の画像再生処理について説明する図である。
【図９】メインコンテンツとサブコンテンツの重畳表示における問題点について説明する図である。
【図１０】メインコンテンツとサブコンテンツの重畳表示における問題点について説明する図である。
【図１１】メインコンテンツとサブコンテンツの重畳表示処理を実行する装置構成例と処理例について説明する図である。
【図１２】メインコンテンツとサブコンテンツの重畳表示処理を実行する装置構成例と処理例について説明する図である。
【図１３】メインコンテンツとサブコンテンツの重畳表示処理を実行する装置構成例と処理例について説明する図である。
【図１４】メインコンテンツとサブコンテンツの重畳表示処理を実行する装置構成例と処理例について説明する図である。
【図１５】メインコンテンツとサブコンテンツの重畳表示処理を実行する装置構成例と処理例について説明する図である。
【図１６】メインコンテンツとサブコンテンツの重畳表示処理を実行する装置構成例と処理例について説明する図である。
【図１７】メインコンテンツとサブコンテンツの重畳表示処理を実行する装置構成例と処理例について説明する図である。
【図１８】サブコンテンツの構成画素値の設定例について説明する図である。
【図１９】サブコンテンツの構成画素値の設定シーケンスについて説明するフローチャートを示す図である。
【図２０】メインコンテンツとサブコンテンツの重畳表示処理を実行する装置構成例と処理例について説明する図である。
【図２１】メインコンテンツに併せて重畳表示するサブコンテンツの生成、記録シーケンスについて説明するフローチャートを示す図である。
【図２２】メインコンテンツに併せて重畳表示するサブコンテンツの変換処理、表示処理のシーケンスについて説明するフローチャートを示す図である。
【図２３】ディスクの再生装置、記録装置、あるいは情報記録媒体製造装置として適用可能な情報処理装置のハードウェア構成例について説明する図である。
【発明を実施するための形態】
【００２６】
以下、図面を参照しながら本開示の情報処理装置、情報記録媒体、および情報処理方法、並びにプログラムの詳細について説明する。なお、説明は以下の項目に従って行なう。
１．情報記録媒体の記録データと再生処理例について
２．ＨＤＲ画像とＳＤＲ画像について
３．ＨＤＲ画像、ＳＤＲ画像、各画像コンテンツの生成と、再生処理例について
４．ＨＤＲ画像データとＳＤＲ画像データの重畳表示処理を行なう場合の問題点について
５．複数コンテンツの重畳画像を統一感のある画像として出力する処理例について
６．コンテンツ生成、記録処理シーケンスと再生シーケンスについて
７．変換処理の制限を設けた処理例について
８．情報処理装置の構成例について
９．本開示の構成のまとめ
【００２７】
［１．情報記録媒体の記録データと再生処理例について］
まず、情報記録媒体としてのディスク、例えばＢＤ（Ｂｌｕ−ｒａｙ（登録商標）  Ｄｉｓｃ）の記録データと再生処理例について説明する。
ディスクには、再生対象データとなる画像、音声、字幕等のデータの他、これらの再生処理に適用する再生制御情報ファイル、管理情報ファイル等、様々なデータが記録される。
例えば、映画等のコンテンツを記録したディスクには、再生対象データとなる画像、音声、字幕等のデータを格納したＴＳ（Ｔｒａｎｓｐｏｒｔ  Ｓｔｒｅａｍ）パケットによって構成されるクリップＡＶストリームファイルが記録される。
【００２８】
さらに、クリップＡＶストリームファイルに対応して設定される制御ファイルであるクリップ情報ファイルや、プレイリストファイル、さらに、再生プログラムを格納したムービーオブジェクトファイル、コンテンツタイトル情報等を記録したインデックスファイル、さらにコンテンツの復号に適用する鍵を格納した暗号鍵ファイル、その他の様々な管理情報ファイルが記録される。
【００２９】
図１を参照して、ＢＤ（Ｂｌｕ−ｒａｙ（登録商標）  Ｄｉｓｃ）に記録されるデータの一構成例について説明する。
図１は、例えばＲＯＭ型ＢＤであるＢＤ−ＲＯＭや、超高画質画像であるＵＨＤ（Ｕｌｔｒａ  Ｈｉｇｈ  Ｄｅｆｉｎｉｔｉｏｎ）画像を格納したＢＤ−ＵＨＤ−ＲＯＭとしての情報記録媒体（ディスク）１０に記録されたＢＤＭＶフォーマットに従った記録データのディレクトリを示す図である。
【００３０】
ディレクトリは図１に示すように管理情報設定部１１（ＡＡＣＳディレクトリ）と、データ部１２（ＢＤＭＶディレクトリ）に分離されている。
管理情報設定部１１（ＡＡＣＳディレクトリ）には、データの暗号化鍵であるＣＰＳユニットキーファイルや利用制御情報ファイルなどが格納される。
【００３１】
一方、データ部１２のＢＤＭＶディレクトリ以下には、
インデックスファイル、
ムービーオブジェクトファイル、
プレイリストファイル、
クリップ情報ファイル、
クリップＡＶストリームファイル、
ＢＤ−Ｊファイル、
例えば、これらのファイルが記録される。
【００３２】
インデックスファイルには、再生処理に適用するインデックス情報としてのタイトル情報などが格納される。
ムービーオブジェクトファイルは、タイトルによって指定される再生プログラムを格納している。
プレイリストファイルは、タイトルによって指定される再生プログラムのプログラム情報に従ったコンテンツの再生順等を規定したファイルであり、再生位置情報を持クリップ情報に対する指定情報を有する。
クリップ情報ファイルは、プレイリストファイルによつて指定されるファイルであり、クリップＡＶストリームファイルの再生位置情報等を有する。
クリップＡＶストリームファイルは、再生対象となるＡＶストリームデータを格納したファイルである。
【００３３】
ＢＤ−Ｊファイルは、ＪＡＶＡ（登録商標）プログラム、コマンド等を格納したファイルである。
例えば、メニュー表示や、サムネイル表示、アニメーションの表示等、様々な表示画像の出力処理等を実行するプログラムや出力用画像データ等が格納される。
【００３４】
情報処理装置が情報記録媒体に記録されたコンテンツを再生するシーケンスは以下の通りである。
（ａ）まず、再生アプリケーションによってインデックスファイルから特定のタイトルを指定する。
（ｂ）指定されたタイトルに関連付けられた再生プログラムが選択される。
（ｃ）選択された再生プログラムのプログラム情報に従ってコンテンツの再生順等を規定したプレイリストが選択される。
（ｄ）選択されたプレイリストに規定されたクリップ情報によって、コンテンツ実データとしてのＡＶストリームあるいはコマンドが読み出されて、ＡＶストリームの再生や、コマンドの実行処理が行われる。
【００３５】
図２は、情報記録媒体（ディスク）２００に記録される以下のデータ、すなわち、
プレイリストファイル、
クリップ情報ファイル、
クリップＡＶストリームファイル、
これらのデータの対応関係を説明する図である。
【００３６】
実際の再生対象データである画像と音声データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００３７】
これら複数のカテゴリのファイルは、図２に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００３８】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）と呼ぶ場合もある。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００３９】
クリップＡＶストリーム（Ｃｌｉｐ  ＡＶ  Ｓｔｒｅａｍ）ファイルは、ＭＰＥＧ−２ＴＳ（トランスポートストリーム）をＢＤＭＶフォーマットの規定構造に従って配置したデータを格納している。
【００４０】
また、クリップ情報（Ｃｌｉｐ  Ｉｎｆｏｒｍａｔｉｏｎ）ファイルには、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報が格納される。
【００４１】
例えば、コンテンツの開始点からの再生時間経過位置を示すタイムスタンプが与えられた時、クリップ情報ファイルを参照して、クリップＡＶストリームファイルのデータ読み出し位置、すなわち再生開始点としてのアドレスを取得することが可能となる。
【００４２】
プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００４３】
なお、再生対象となる画像や音声の実データを格納したクリップＡＶストリーム（Ｃｌｉｐ  ＡＶ  Ｓｔｒｅａｍ）ファイルは、ＭＰＥＧ−２トランスポートストリーム（ＴＳ：Ｔｒａｎｓｐｏｒｔ  ｓｔｒｅａｍ）ファイル構造を持つ。
【００４４】
［２．ＨＤＲ画像とＳＤＲ画像について］
次に、出力可能な色や輝度範囲が拡大された広ダイナミックレンジ（ＨＤＲ：Ｈｉｇｈ  Ｄｙｎａｍｉｃ  Ｒａｎｇｅ）画像と、従来型のＳＤＲ（Ｓｔａｎｄａｒｄ  Ｄｙｎａｍｉｃ  Ｒａｎｇｅ）画像について、説明する。
【００４５】
放送局やサーバの提供するコンテンツ、あるいは情報記録媒体（メディア）に格納されるコンテンツを構成する画像データは、時代とともにより高品質な画像に変化してきている。具体的には、これまでの２Ｋ画像から、４Ｋ画像や８Ｋ画像と呼ばれる高解像度画像に推移しつつある。
【００４６】
さらに、これまでのＳＤＲ（Ｓｔａｎｄａｒｄ  Ｄｙｎａｍｉｃ  Ｒａｎｇｅ）画像に比較して低輝度から高輝度まで広い輝度範囲の画像を忠実に再現可能とした広ダイナミックレンジ（ＨＤＲ：Ｈｉｇｈ  Ｄｙｎａｍｉｃ  Ｒａｎｇｅ）画像の利用が普及しつつある。
【００４７】
ＨＤＲ画像は、ＳＤＲ画像より表現可能な色やダイナミックレンジが広く、可視範囲のすべての輝度を表現可能な画像であり、人間の視覚特性とほぼ同等のダイナミックレンジと色域をサポートすることができる。
【００４８】
図１、図２を参照して説明した情報記録媒体の再生対象データとなる画像、具体的には、クリップＡＶストリーム（Ｃｌｉｐ  ＡＶ  Ｓｔｒｅａｍ）ファイルに格納される画像も、従来型のＳＤＲ（Ｓｔａｎｄａｒｄ  Ｄｙｎａｍｉｃ  Ｒａｎｇｅ）画像から、ＨＤＲ（Ｈｉｇｈ  Ｄｙｎａｍｉｃ  Ｒａｎｇｅ）画像に、順次、移行する傾向にある。
【００４９】
以下、従来型のＳＤＲ（Ｓｔａｎｄａｒｄ  Ｄｙｎａｍｉｃ  Ｒａｎｇｅ）画像と、ＳＤＲ画像より、出力可能な色や輝度範囲を拡大したＨＤＲ（Ｈｉｇｈ  Ｄｙｎａｍｉｃ  Ｒａｎｇｅ）画像について説明する。
【００５０】
図３は、ＨＤＲ画像とＳＤＲ画像の信号値と、表示輝度との対応関係を示すグラフである。以下の各図を示している。
（Ａ）ＨＤＲ画像の入力信号値と出力輝度値との対応関係グラフ
（Ｂ）ＳＤＲ画像の入力信号値と出力輝度値との対応関係グラフ
【００５１】
（Ａ），（Ｂ）とも横軸は、入力信号値である。具体的には、例えばＲ，Ｇ，Ｂの各信号値（例えば８〜１２ビット信号値）に相当する。
縦軸は、表示部に出力される輝度値を示している。
【００５２】
（Ｂ）のＳＤＲ画像では、入力信号値（０〜約１０００）に対して、輝度値：０〜１００（ｃｄ／平方ｍ）の出力が得られる。
一方、（Ａ）のＨＤＲ画像では、入力信号値（０〜約１０００）に対して、輝度値：０〜１０００（ｃｄ／平方ｍ）の出力が得られる。
このように、ＨＤＲ画像では、ＳＤＲ画像に比較して、約１０倍の輝度範囲の画像出力が可能となる。
これは、ＨＤＲ画像が、より暗いところから明るいところまで、実際に近い画像として忠実に出力可能であることを示している。
なお、ＨＤＲ画像を出力するためには、ＨＤＲ画像出力可能なＨＤＲ対応の表示装置を用いることが必要である。
【００５３】
図３（Ａ）に示すＨＤＲ画像の入力信号値と出力輝度値との対応関係グラフに示す曲線は、ＳＭＰＴＥ  ２０８４曲線（または、ＳＭＰＴＥ  ＳＴ  ２０８４曲線）と呼ばれる。この曲線は、ＨＤＲ画像の１つの代表的な特性曲線であり、ＳＭＰＴＥ（米国映画テレビ技術者協会）の規格として規定された曲線である。
なお、ＳＭＰＴＥ  ２０８４曲線は、ＰＱ（Ｐｅｒｃｅｐｔｕａｌ  Ｑｕａｎｔｉｚａｔｉｏｎ）曲線とも呼ばれる。
【００５４】
ＰＱ曲線（＝ＳＭＰＴＥ  ２０８４曲線）は、ＨＤＲ画像を構成する輝度範囲：０〜１００００ｃｄ／平方ｍのダイナミックレンジに対応する符号化データの生成に用いられる。具体的には、ＨＤＲ画像を構成する輝度範囲のダイナミックレンジを、人間の眼に合わせた量子化ステップのカーブとして定義されるＰＱ曲線（＝ＳＭＰＴＥ  ２０８４曲線）に従って変換することで所定ビット（例えば１０〜１２ビット）の階調に収めた画像信号を生成することができる。
【００５５】
一方、図３（Ｂ）に示すＳＤＲ画像の入力信号値と出力輝度値との対応関係グラフに示す曲線は、ガンマ２．４曲線と呼ばれる。
ガンマ２．４曲線は、ＳＤＲ画像を構成する輝度範囲：０〜１２０ｃｄ／平方ｍのダイナミックレンジに対応する符号化データの生成に用いられる。具体的には、ＳＤＲ画像を構成する輝度範囲のダイナミックレンジを、人間の眼に合わせた量子化ステップのカーブとして定義されるガンマ２．４曲線に従って変換することで所定ビット（例えば８〜１０ビット）の階調に収めた画像信号を生成することができる。
【００５６】
［３．ＨＤＲ画像、ＳＤＲ画像、各画像コンテンツの生成と、再生処理例について］
次に、ＨＤＲ画像、ＳＤＲ画像、各画像コンテンツの生成と、再生処理例について説明する。
まず、ＨＤＲ画像を含むＨＤＲコンテンツの生成と、再生処理例について図４以下を参照して説明する。
図４には、ＨＤＲコンテンツの生成処理と記録処理を実行する情報処理装置１００の構成例を示している。
【００５７】
撮影部１０１は、例えば４Ｋカメラを装備して、ＩＴＵ−Ｒ勧告  ＢＴ．２０２０に基づく広色域表色系のカラー画像を記録する。なお、ＩＴＵ−Ｒ勧告は、ＩＴＵ（国際電気通信連合）において規定された標準である。
【００５８】
ＩＴＵ−Ｒ勧告  ＢＴ．２０２０に基づく広色域表色系について、図５を参照して説明する。
図５は、例えば、ＢＤ（Ｂｌｕ−ｒａｙ（登録商標）  Ｄｉｓｃ）に格納された画像コンテンツをテレビ等の表示部に表示する場合に、表示部に出力される色域を解説する図であり、ＤＣＩ規格色空間内に規定される複数の表色系を示している。
ＩＴＵ−Ｒ  ＢＴ．７０９表色系、ＩＴＵ−Ｒ  ＢＴ．１８８６表色系、さらに、より広い広範囲な色表現を可能としたＩＴＵ−Ｒ  ＢＴ．２０２０表色系を示している。
【００５９】
ＳＤＲ画像の出力可能な色は、図５に示すＩＴＵ−Ｒ  ＢＴ．７０９、あるいはＩＴＵ−Ｒ  ＢＴ．１８８６によって規定された空間内の色である。
ＳＤＲ画像は、例えばＩＴＵ−Ｒ  ＢＴ．７０９、あるいはＩＴＵ−Ｒ  ＢＴ．１８８６準拠の光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を非線形変換した８〜１０ビットの信号値によって出力される。
【００６０】
一方、ＨＤＲ画像の出力可能な色は、図５に示すＩＴＵ−Ｒ  ＢＴ．２０２０によって規定された空間内の色である。
図５に示すＩＴＵ−Ｒ  ＢＴ．７０９、あるいはＩＴＵ−Ｒ  ＢＴ．１８８６によって規定された空間より外側の色も出力可能である。
ＨＤＲ画像は、例えばＩＴＵ−Ｒ  ＢＴ．２０２０準拠の光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を非線形変換した１０〜１２ビットの信号値によって出力される。
すなわち、ＨＤＲ画像は、ＳＤＲ画像では表現できない色の出力が可能であり、より広い色調を表現することができる。
【００６１】
図４に戻り、ＨＤＲコンテンツの生成処理と記録処理を実行する情報処理装置１００の構成と処理について説明する。
撮影部１０１は、上述したように、例えば４Ｋカメラを装備して、ＩＴＵ−Ｒ勧告  ＢＴ．２０２０に基づく広色域表色系のカラー画像を記録する。
次いで、グレーディング・マスタリング部１０２では、撮影したコンテンツに対してグレーディング、またはマスタリング処理を行ない、例えば変換テーブル１３１を用いて符号値と輝度を線形変換して、ＨＤＲのマスター・コンテンツを生成する。さらに、このＨＤＲマスター・コンテンツに対応するメタデータ、例えばダイナミックレンジ等の輝度情報や、色情報等からなるメタデータが生成される。
【００６２】
次いで、光電変換部１０３は、参照番号１３２で示すような光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を例えば１０〜１２ビットの符号値に非線形変換して、ＨＤＲマスター・コンテンツの光線形の輝度信号を表示部駆動信号に変換する。
【００６３】
この光電変換関数（ＯＥＴＦ）として、先に図３（Ａ）を参照して説明したＳＭＰＴＥ  ２０８４曲線が利用される。先に説明したように、ＳＭＰＴＥ  ２０８４曲線は、ＰＱ（Ｐｅｒｃｅｐｔｕａｌ  Ｑｕａｎｔｉｚａｔｉｏｎ）曲線とも呼ばれ、ＨＤＲ画像を構成する輝度範囲：０〜１００００ｃｄ／平方ｍのダイナミックレンジに対応する符号化データの生成に用いられる。
ＨＤＲ画像を構成する輝度範囲のダイナミックレンジを、人間の眼に合わせた量子化ステップのカーブとして定義されるＰＱ曲線（＝ＳＭＰＴＥ  ２０８４曲線）に従って変換することで所定ビット（例えば１０〜１２ビット）の階調に収めた画像信号を生成するために適用される曲線である。
【００６４】
符号化部１０４は、ＨＤＲマスター・コンテンツ並びにそのメタデータを符号化して、所定のデータフォーマットに従った符号化データを生成する。生成された符号化データは、記録部１０５を介して記録メディア１２０に記録される。
【００６５】
図６は、記録メディア１２０に記録された所定のデータフォーマットに従って記録されたＨＤＲ画像データを読み出して再生する画像再生装置としての情報処理装置１５０の構成例を示す図である。
【００６６】
復号部１５１は、記録メディア１２０から読み出した符号化ストリームを、表示装置に対して出力可能な信号（表示部駆動信号）に復号する処理を実行するとともに、メタデータを抽出する。
【００６７】
次いで、電光線形変換部１５２は、電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）１７１を用いて、復号した例えば１０ビットの符号値からなる表示部駆動信号を光線形の輝度信号に変換する。例えば、ＥＯＴＦ変換した後の光線形の輝度信号に対して、メタデータに記述された輝度情報に基づくダイナミックレンジ変換処理が行なわれる。
【００６８】
この符号値から輝度信号への変換処理には、先に図３（Ａ）を参照して説明したＨＤＲ画像対応の信号−輝度対応曲線であるＳＭＰＴＥ  ２０８４曲線に相当する電光変換関数（ＥＯＴＦ）１７１が用いられる。
【００６９】
次いで、表示信号生成部１５３は変換テーブル１７２を用いて、表示パネルの特性に合わせた表示部駆動信号を生成する。この処理に際しては、記録メディア１２０から取得したメタデータ、および表示部１５４から取得した特性情報（出力可能なダイナミックレンジ情報、色情報など）を用いた処理が実行される。
液晶表示パネルなどからなる表示部１５４は、表示信号生成部１５３の生成する表示部駆動信号に従ってコンテンツを表示する。
【００７０】
図７には、ＳＤＲコンテンツの生成処理と記録処理を実行する情報処理装置１００の構成例を示している。
ＳＤＲコンテンツの生成処理と記録処理を実行する情報処理装置１００は、先に図４を参照して説明したＨＤＲコンテンツの生成処理と記録処理を実行する情報処理装置１００の構成と同様のブロック構成である。
【００７１】
ただし、撮影部１０１は、ＩＴＵ−Ｒ勧告  ＢＴ．２０２０に基づく広色域表色系のカラー画像ではなく、ＢＴ．２０２０より、やや狭い表色系を有するＩＴＵ−Ｒ勧告  ＢＴ．７０９あるいはＢＴ．１８８６に基づく表色系のカラー画像を記録する。
ＢＴ．７０９あるいはＢＴ．１８８６に基づく表色系は、先に図５を参照して説明したように、ＢＴ．２０２０より、やや狭い表色系を有する。
【００７２】
撮影部１０１の撮影画像は、グレーディング・マスタリング部１０２に入力され、撮影コンテンツに対するグレーディング、またはマスタリング処理が行なわれる。例えば変換テーブル１８１を用いて符号値と輝度を線形変換して、ＳＤＲのマスター・コンテンツを生成する。さらに、このＳＤＲマスター・コンテンツに対応するメタデータ、例えばダイナミックレンジ等の輝度情報や、色情報等からなるメタデータが生成される。
【００７３】
次いで、光電変換部１０３は、参照番号１８２で示すような光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を８〜１０ビットの符号値に非線形変換して、ＳＤＲマスター・コンテンツの光線形の輝度信号を表示部駆動信号に変換する。
【００７４】
先に、図４を参照して説明したＨＤＲコンテンツの生成、記録処理では、この光電変換関数（ＯＥＴＦ）として、先に図３（Ａ）を参照して説明したＳＭＰＴＥ  ２０８４曲線を利用した。
一方、ＳＤＲコンテンツの記録処理に際しては、図３（Ｂ）を参照して説明したガンマ２．４曲線を利用する。
【００７５】
先に図３を参照して説明したように、ガンマ２．４曲線は、ＳＤＲ画像を構成する輝度範囲：０〜１２０ｃｄ／平方ｍのダイナミックレンジに対応する符号化データの生成に用いられる。具体的には、ＳＤＲ画像を構成する輝度範囲のダイナミックレンジを、人間の眼に合わせた量子化ステップのカーブとして定義されるガンマ２．４曲線に従って変換することで所定ビット（例えば８〜１０ビット）の階調に収めた画像信号を生成することができる。
【００７６】
符号化部１０４は、ＳＤＲマスター・コンテンツ並びにそのメタデータを符号化して、所定のデータフォーマットに従った符号化データを生成する。生成された符号化データは、記録部１０５を介して記録メディア１２０に記録される。
【００７７】
図８は、記録メディア１２０に記録された所定のデータフォーマットに従って記録されたＳＤＲ画像データを読み出して再生する画像再生装置としての情報処理装置１５０の構成例を示す図である。
この図８に示すブロック構成も、先に図６を参照して説明したＨＤＲ画像データの再生装置と同様のブロック構成を有する。
ただし、電光変換部１５２において利用する電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）がＳＤＲ画像対応の電光変換関数（ＥＯＴＦ）１９１に置き換えられる。
【００７８】
復号部１５１は、記録メディア１２０から読み出した符号化ストリームを、表示装置に対して出力可能な信号（表示部駆動信号）に復号する処理を実行するとともに、メタデータを抽出する。
【００７９】
次いで、電光線形変換部１５２は、電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）１９１を用いて、復号した例えば８〜１０ビットの符号値からなる表示部駆動信号を光線形の輝度信号に変換する。例えば、ＥＯＴＦ変換した後の光線形の輝度信号に対して、メタデータに記述された輝度情報に基づくダイナミックレンジ変換処理が行なわれる。
【００８０】
この符号値から輝度信号への変換処理には、先に図３（Ｂ）を参照して説明したＳＤＲ画像対応の信号−輝度対応曲線であるガンマ２．４曲線に相当する電光変換関数（ＥＯＴＦ）１９１が用いられる。
【００８１】
次いで、表示信号生成部１５３は変換テーブル１９２を用いて、表示パネルの特性に合わせた表示部駆動信号を生成する。この処理に際しては、記録メディア１２０から取得したメタデータ、および表示部１５４から取得した特性情報（出力可能なダイナミックレンジ情報、色情報など）を用いた処理が実行される。
液晶表示パネルなどからなる表示部１５４は、表示信号生成部１５３の生成する表示部駆動信号に従ってコンテンツを表示する。
【００８２】
［４．ＨＤＲ画像データとＳＤＲ画像データの重畳表示処理を行なう場合の問題点について］
図１を参照して説明したＢＤ−ＲＯＭには様々なコンテンツが併せて格納される。
例えば、メインコンテンツとなる映画コンテンツの他、メニュー画面、案内情報、アニメーション画像、ユーザインタフェース用の画像等、様々なコンテンツが格納される。
【００８３】
再生装置は、例えば映画コンテンツをメインコンテンツとして再生しながら、その他のメニュー画面等のサブコンテンツをメインコンテンツに重畳して表示する等の処理を行なうことがある。
メインコンテンツとサブコンテンツの重畳表示例について、図９、図１０を参照して説明する。
図９は、例えば映画等のメインコンテンツ２０１の一部領域に、メニュー画面や案内情報等のサブコンテンツ２０２を重畳して表示した例である。
【００８４】
図１０は、例えば映画等のメインコンテンツ２０１の一部領域に、映画のサムネイル画像から構成されるサブコンテンツ２０２を重畳して表示した例である。
サブコンテンツ２０２に示されるサムネイル画像は、ユーザによる映画の再生開始位置の指定処理等に利用される。すなわち、図１０は、映画のランダムアクセスポイントに位置するシーンのサムネイル画像から構成されるサブコンテンツ２０２をメインコンテンツ１０１上に重畳して表示した例である。
【００８５】
この他にも、メインコンテンツに併せて表示されるサブコンテンツには、様々な種類がある。
図９、図１０に示すメニュー、サムネイルの他、例えば字幕、アニメーション等もメインコンテンツに重畳して表示されるサブコンテンツである。
【００８６】
このように複数の異なるコンテンツが１つの画面上に表示される場合、一方のコンテンツがＨＤＲ画像であり、他方のコンテンツがＳＤＲ画像であると、各コンテンツの色や、輝度に微妙な差異が発生し、視聴者に違和感を与えてしまうという問題がある。
【００８７】
先に図３や図５を参照して説明したように、ＨＤＲ画像と、ＳＤＲ画像では、出力可能な色や輝度範囲が全く異なっている。例えば、図５を参照して説明したように、ＨＤＲ画像に適用される表色系（ＢＴ．２０２０）と、ＳＤＲ画像に適用される表色系（ＢＴ．７０９／ＢＴ．１８８６）では、出力可能な色の範囲が異なっている。
このように出力特性の全く異なるＨＤＲ画像とＳＤＲ画像をそのまま並列出力すると、視聴者に対して、２つの画像間の差異に基づく違和感を与えてしまうことになる。
【００８８】
先に、図１、図２を参照して説明したように、ＢＤ−ＲＯＭやＢＤ−ＵＨＤ−ＲＯＭには、プレイリストやクリップ情報ファイル等の制御に従って再生されるクリップＡＶストリームが格納される。
さらに、このクリップＡＶストリーム以外にＪＡＶＡ（登録商標）プログラム、コマンド等を格納したファイルであるＢＤ−Ｊを利用して再生されるコンテンツがある。
【００８９】
以下では、一例として、メインコンテンツを、クリップ情報ファイル等の制御に従って再生されるクリップＡＶストリームに含まれるコンテンツ、
サブコンテンツを、ＢＤ−Ｊを利用して再生されるコンテンツとして説明する。
なお、メインコンテンツ、サブコンテンツの組み合わせは、この他の様々な組み合わせの設定がある。例えば、メインコンテンツとサブコンテンツが、いずれもクリップＡＶストリームに含まれるコンテンツである場合、メインコンテンツが映画コンテンツであり、サブコンテンツが字幕データである場合等、様々である。
【００９０】
図１１以下を参照して、メインコンテンツに併せてサブコンテンツを重畳表示する場合の複数の処理例について説明する。
【００９１】
図１１は、メインコンテンツ、サブコンテンツともＳＤＲ画像とした場合の処理例である。
メインコンテンツソース２１１は、例えばクリップＡＶストリームファイルである。
一方、サブコンテンツソース２２１は、例えばＪＡＶＡ（登録商標）プログラムを格納したＢＤ−Ｊファイルである。ＢＤ−Ｊファイルに格納されたプログラムの実行により、例えば図９や図１０を参照して説明したメニュー画面やサムネイル画像等からなるサブコンテンツが出力される。
【００９２】
メインコンテンツソース２１１から、メインコンテンツ画像データ２１２が、再生画像データとして出力される。
一方、サブコンテンツソース２２１から、サブコンテンツ画像データ２２２が、再生画像データとして出力される。
図１１に示す例では、メインコンテンツ画像データ２１２、サブコンテンツ画像データ２２２のいずれもＳＤＲ画像である。
【００９３】
メインコンテンツ画像データ２１２と、サブコンテンツ画像データ２２２は、画像重畳表示制御部２３０において、重畳処理がなされ、表示部に表示される。
表示部には、図に示す表示画像２３１が表示される。
表示画像２３１は、ＳＤＲ画像であるメインコンテンツ２３２の一部領域に、ＳＤＲ画像であるサブコンテンツ２２３が重畳して表示された画像となる。
【００９４】
図１１に示す例の場合、メインコンテンツ２３２、サブコンテンツ２３３のいずれもＳＤＲ画像であり、出力可能な輝度範囲や利用されている色空間が一致するため、メインコンテンツ２３２と、サブコンテンツ２３３の２つのコンテンツの色味や輝度は一致し、視聴者に違和感のない統一した画像データとして観察されることになる。
【００９５】
図１２は、図１１を参照して説明したインコンテンツ２３２、サブコンテンツ２３３のいずれもＳＤＲ画像である場合のサブコンテンツに対する具体的な出力画像の生成処理例を示す図である。
【００９６】
メインコンテンツソース２１１から、メインコンテンツ画像データ２１２が、再生画像データとして出力される。
一方、サブコンテンツソース２２１からは、サブコンテンツ画像データであるＳＤＲ画像を構成するｓＲＧＢ信号２２２ａがリニア変換部２２５に出力される。
【００９７】
ｓＲＧＢ信号２２２ａは、ＲＧＢ信号値の規格の１つであり、例えば、ディスプレイやプリンタにおける出力色を統一感のある色とするために設定されたＲＧＢの新しい規格に従った信号である。図１２に示す例では、サブコンテンツはＳＤＲ画像であり、ＲＧＢ各８ビットのｓＲＧＢ信号値がリニア変換部２２５に入力される。
【００９８】
サブコンテンツソース２２１から出力されるサブコンテンツは、ＳＤＲ画像であり、このＳＤＲ画像の各画素のｓＲＧＢの各信号値と輝度との対応関係は、図３（Ｂ）に示すガンマ２．４曲線に従った関係となる。
【００９９】
リニア変換部２２５は、このガンマ２．４曲線に従った信号値と輝度との対応関係をリニアな関係にするリニア変換処理を実行して、リニアｓＲＧＢ信号２２２ｂを生成する。具体的には、ガンマ２．４曲線を適用したデガンマ処理により、信号値と輝度との対応関係をリニアな関係にする。このリニア変換処理は、色空間変換処理を行なうための前処理として行われる。
【０１００】
リニア変換部２２５の生成したリニアｓＲＧＢ信号２２２ｂは、色空間変換部２２６に入力される。
サブコンテンツソース２２１の出力するサブコンテンツはＳＤＲ画像であり、ｓＲＧＢ値によって定義された色空間における画素値が設定されている。これを、先に図５を参照して説明したＢＴ．７０９色空間に変換する。
【０１０１】
なお、この色空間変換処理には、様々な手法がある。例えば、所定の変換パラメータを設定した行列であるマトリックスを適用したマトリックス変換等が用いられる。ただし、この色空間変換処理は、適用する手法によって変換後の色が異なる。
【０１０２】
色空間変換部２２６は、色空間変換によって、生成したＢＴ．７０９リニアＲＧＢ信号２２２ｃをＯＥＴＦ変換部（光電変換部）２２７に入力する。
ＯＥＴＦ変換部（光電変換部）２２７は、信号−輝度対応関係がリニアの関係にあるＢＴ．７０９リニアＲＧＢ信号２２２ｃに対するＯＥＴＦ変換（光電変換）処理を実行してＢＴ．７０９ＧＢ信号２２２ｄを生成する。
【０１０３】
このＯＥＴＦ変換部（光電変換部）２２７におけるＯＥＴＦ変換処理には、先に図３（Ｂ）を参照して説明したＳＤＲ画像対応の信号−輝度対応関係曲線、すなわち、ガンマ２．４曲線が利用される。
【０１０４】
ＯＥＴＦ変換部（光電変換部）２２７は、ガンマ２．４曲線を適用した光電変換処理により生成したＢＴ．７０９ＲＧＢ信号２２２ｄをフォーマット変換部２２８に出力する。
ＢＴ．７０９ＲＧＢ信号２２２ｄは、入出力特性（信号−輝度特性）が図３（Ｂ）に示すガンマ２．４曲線に従ったＳＤＲ信号である。
【０１０５】
フォーマット変換部２２８は、このＢＴ．７０９ＲＧＢ信号２２２ｄを入力して、フォーマット変換を行い、ＹＣｂＣｒ信号からなるＢＴ．７０９ＹＣｂＣｒ信号２２２ｅを生成する。
【０１０６】
このＲＧＢ−ＹＣｂＣｒ信号間のフォーマット変換は、ＩＴＵ−Ｒ変換規則に従って行われる。例えば、ＲＧＢ信号と、ＹＣｂＣＲ信号値の対応関係を記録したＩＴＵ−Ｒ変換テーブルを利用して、ＲＧＢ各信号値が、ＹＣｂＣｒ各信号値に変換される。このフォーマット変換は、１つのルール（ＩＴＵ−Ｒの規定ルール）に従って実行されるため、どの装置においても、同様の変換処理が行われる。
【０１０７】
フォーマット変換部２２８の生成したＢＴ．７０９ＹＣｂＣｒ信号２２２ｅは、画像重畳表示制御部２３０に入力される。
画像重畳表示制御部２３０は、メインコンテンツソース２１１から出力されるメインコンテンツ画像データ２１２と、フォーマット変換部２２８の生成したＢＴ．７０９ＹＣｂＣｒ信号２２２ｅを入力し、これらの画像の重畳処理を実行して表示部に対する出力画像データを生成する。
【０１０８】
なお、メインコンテンツソース２１１から出力されるメインコンテンツ画像データ２１２も、サブコンテンツソース２２１から出力される画像データに基づくＢＴ．７０９ＹＣｂＣｒ信号２２２ｅのいすがれもＳＤＲ画像である。
表示部には、図に示す表示画像２３１が表示される。
表示画像２３１は、ＳＤＲ画像であるメインコンテンツ２３２の一部領域に、ＳＤＲ画像であるサブコンテンツ２３３が重畳して表示された画像となる。
【０１０９】
図１２に示す例の場合、メインコンテンツ２３２、サブコンテンツ２３３のいずれもＳＤＲ画像であり、各コンテンツ間に色や輝度レベルの差異が発生せず、統一感のある画像となる。
【０１１０】
図１３は、メインコンテンツ、サブコンテンツともＨＤＲ画像とした場合の処理例である。
メインコンテンツソース２４１から、メインコンテンツ画像データ２４２が、再生画像データとして出力される。
一方、サブコンテンツソース２５１から、サブコンテンツ画像データ２５２が、再生画像データとして出力される。
図１３に示す例では、メインコンテンツ画像データ２４２、サブコンテンツ画像データ２５２のいずれもＨＤＲ画像である。
【０１１１】
これらの画像データは、画像重畳表示制御部２６０において、重畳処理がなされ、表示部に表示される。
表示部には、図に示す表示画像２６１が表示される。
表示画像２６１は、ＨＤＲ画像であるメインコンテンツ２６２の一部領域に、ＨＤＲ画像であるサブコンテンツ２６３が重畳して表示された画像となる。
【０１１２】
図１３に示す例の場合、メインコンテンツ２６２、サブコンテンツ２６３のいずれもＨＤＲ画像であり、出力可能な輝度範囲や利用されている色空間が一致するため、メインコンテンツ２３２と、サブコンテンツ２３３の２つのコンテンツの色味や輝度は一致し、視聴者に違和感のない統一した画像データとして観察されることになる。
【０１１３】
図１４は、メインコンテンツがＨＤＲ画像であり、サブコンテンツがＳＤＲ画像である場合の処理例である。
メインコンテンツソース２７１から、メインコンテンツ画像データ２７２が、再生画像データとして出力される。
一方、サブコンテンツソース２８１から、サブコンテンツ画像データ２８２が、再生画像データとして出力される。
図１４に示す例では、メインコンテンツ画像データ２７２がＨＤＲ画像、サブコンテンツ画像データ２８２がＳＤＲ画像である。
【０１１４】
これらの画像データは、画像重畳表示制御部２６０において、重畳処理がなされ、表示部に表示される。
表示部には、図に示す表示画像２９１が表示される。
表示画像２９１は、ＨＤＲ画像であるメインコンテンツ２９２の一部領域に、ＳＤＲ画像であるサブコンテンツ２９３が重畳して表示された画像となる。
【０１１５】
図１４に示す例の場合、メインコンテンツ２９２がＨＤＲ画像、サブコンテンツ２９３がＳＤＲ画像である。
先に図３を参照して説明したように、ＨＤＲ画像と、ＳＤＲ画像では、出力可能な輝度範囲が全く異なっている。
また、先に図５を参照して説明したように、ＨＤＲ画像に適用される表色系（ＢＴ．２０２０）と、ＳＤＲ画像に適用される表色系（ＢＴ．７０９／ＢＴ．１８８６）では、出力可能な色の範囲が異なっている。
【０１１６】
このように出力特性の全く異なるＨＤＲ画像とＳＤＲ画像をそのまま並列出力すると、視聴者に対して、２つの画像間の差異に基づく違和感を与えてしまうことになる。
【０１１７】
このような違和感の発生を抑制するための一手法として、メインコンテンツがＨＤＲ画像であり、サブコンテンツがＳＤＲ画像である場合に、サブコンテンツであるＳＤＲ画像の画像変換を実行して、擬似的なＨＤＲ画像を生成して出力する手法が考えられる。
この画像変換を実行する構成例について、図１５を参照して説明する。
【０１１８】
図１５は、図１４に示す例と同様、メインコンテンツがＨＤＲ画像であり、サブコンテンツがＳＤＲ画像である場合の処理例である。
メインコンテンツソース３１１から、メインコンテンツ画像データ３１２が、再生画像データとして出力される。
一方、サブコンテンツソース３２１から、サブコンテンツ画像データ３２２が、再生画像データとして出力される。
図１５に示す例では、メインコンテンツ画像データ３１２がＨＤＲ画像、サブコンテンツ画像データ３２２がＳＤＲ画像である。
【０１１９】
ＳＤＲ画像であるサブコンテンツ画像データ３２２は、画像変換部３２３に入力される。
画像変換部３２３は、ＳＤＲ画像であるサブコンテンツ画像データ３２２の画像変換を実行し、擬似的なＨＤＲ画像に変換する処理を行う。
【０１２０】
しかし、ＳＤＲ画像であるサブコンテンツ画像データ３２２には、ＨＤＲ画像として必要となる輝度レベル情報や色情報が不足しており、完全なＨＤＲ画像を生成することはできない。あくまでも、擬似的なＨＤＲ画像を生成するのみである。
この擬似的なＨＤＲ画像の生成処理の詳細については後述する。
【０１２１】
画像変換部３２３の生成した疑似的なＨＤＲ画像であるサブコンテンツと、真のＨＤＲ画像であるメインコンテンツ３１２は、画像重畳表示制御部３３０において、重畳処理がなされ、表示部に表示される。
表示部には、図に示す表示画像３３１が表示される。
表示画像３３１は、ＨＤＲ画像であるメインコンテンツ３３２の一部領域に、擬似ＨＤＲ画像であるサブコンテンツ３３３が重畳して表示された画像となる。
【０１２２】
図１５に示す例の場合、メインコンテンツ３３２がＨＤＲ画像、サブコンテンツ３３３が擬似ＨＤＲ画像である。
このような画像変換を行うことで、図１４に示すＨＤＲ画像とＳＤＲ画像の組み合わせよりは、各画像間の差異が減少する。
しかし、画像変換によって生成される擬似ＨＤＲ画像は、真のＨＤＲ画像とは異なる画像であり、やはり、視聴者に対して、２つの画像間の差異に基づく違和感を与えてしまうことになる。
【０１２３】
図１６は、図１５を参照して説明したＳＤＲ画像から擬似ＨＤＲ画像への変換処理の詳細構成を示す図である。
メインコンテンツがＨＤＲ画像であり、サブコンテンツがＳＤＲ画像である場合の処理例である。
【０１２４】
メインコンテンツソース４０１から、メインコンテンツ画像データ４０２が、再生画像データとして出力される。
一方、サブコンテンツソース４１１からは、サブコンテンツ画像データであるＳＤＲ画像を構成するｓＲＧＢ信号４２１がリニア変換部４１２に出力される。
【０１２５】
ｓＲＧＢ信号４２１は、ＲＧＢ信号値の規格の１つであり、例えば、ディスプレイやプリンタにおける出力色を統一感のある色とするために設定されたＲＧＢの新しい規格に従った信号である。図１６に示す例では、サブコンテンツはＳＤＲ画像であり、ＲＧＢ各８ビットのｓＲＧＢ信号値がリニア変換部４１２に入力される。
【０１２６】
サブコンテンツソース４１１から出力されるサブコンテンツは、ＳＤＲ画像であり、このＳＤＲ画像の各画素のｓＲＧＢの各信号値と輝度との対応関係は、図３（Ｂ）に示すガンマ２．４曲線に従った関係となる。
【０１２７】
リニア変換部４１２は、このガンマ２．４曲線に従った信号値と輝度との対応関係をリニアな関係にするリニア変換処理を実行して、リニアｓＲＧＢ信号４２２を生成する。具体的には、ガンマ２．４曲線を適用したデガンマ処理により、信号値と輝度との対応関係をリニアな関係にする。このリニア変換処理は、色空間変換処理を行なうための前処理として行われる。
【０１２８】
リニア変換部４１２の生成したリニアｓＲＧＢ信号４２２は、色空間変換部４５１に入力される。
サブコンテンツソース４１１の出力するサブコンテンツはＳＤＲ画像であり、ＲＧＢ色空間対応の画素値が設定されている。色空間変換部４１３は、このＲＧＢ色空間内の色値によって構成される画像をＨＤＲ対応の色空間（ＢＴ．２０２０）に変換する処理を行なう。
【０１２９】
なお、この色空間変換処理には、様々な手法がある。例えば、所定の変換パラメータを設定した行列であるマトリックスを適用したマトリックス変換等が用いられる。ただし、この色空間変換処理は、適用する手法によって変換後の色が異なる。
【０１３０】
色空間変換部４１３は、ＳＤＲ画像対応の色空間（ＢＴ．７０９、またはＢＴ．１８８６）をＨＤＲ画像対応の色空間（ＢＴ．２０２０）に変換し、ＢＴ．２０２０リニアＲＧＢ信号４２３を生成して、ＯＥＴＦ変換部（光電変換部）４１４に入力する。
なお、色空間変換部４１３の生成するＢＴ．２０２０リニアＲＧＢ信号４２３はＨＤＲ画像対応の色空間の色情報を有しており、擬似的なＨＤＲ画像となる。
【０１３１】
色空間変換部４１３の生成したＢＴ．２０２０リニアＲＧＢ信号４２３は、ＯＥＴＦ変換部（光電変換部）４１４に入力される。
ＯＥＴＦ変換部（光電変換部）４１４は、信号−輝度対応関係がリニアの関係にあるＢＴ．２０２０リニアＲＧＢ信号４２３に対するＯＥＴＦ変換（光電変換）処理を実行してＢＴ．２０２０ＲＧＢ信号４２４を生成する。
【０１３２】
このＯＥＴＦ変換部（光電変換部）４１４におけるＯＥＴＦ変換処理には、先に図３（Ａ）を参照して説明したＨＤＲ画像対応の信号−輝度対応関係曲線、すなわち、ＳＭＰＴＥ  ２０８４曲線が利用される。
【０１３３】
前述したように、ＳＭＰＴＥ  ２０８４曲線は、ＨＤＲ画像を構成する輝度範囲：０〜１００００ｃｄ／平方ｍのダイナミックレンジに対応する符号化データの生成に用いられる曲線である。
【０１３４】
ＯＥＴＦ変換部（光電変換部）４１４は、ＳＭＰＴＥ  ２０８４曲線を適用した光電変換処理により生成したＢＴ．２０２０ＲＧＢ信号４２４をフォーマット変換部４１５に出力する。
ＢＴ．２０２０ＲＧＢ信号４２４は、入出力特性（信号−輝度特性）が図３（Ａ）に示すＳＭＰＴＥ２０８４に従った擬似ＨＤＲ信号である。
【０１３５】
フォーマット変換部４１５は、このＢＴ．２０２０ＲＧＢ信号４２４を入力して、フォーマット変換を行い、ＹＣｂＣｒ信号からなるＢＴ．２０２０ＹＣｂＣｒ信号４２５を生成する。
【０１３６】
このＲＧＢ−ＹＣｂＣｒ信号間のフォーマット変換は、ＩＴＵ−Ｒ変換規則に従って行われる。例えば、ＲＧＢ信号と、ＹＣｂＣＲ信号値の対応関係を記録したＩＴＵ−Ｒ変換テーブルを利用して、ＲＧＢ各信号値が、ＹＣｂＣｒ各信号値に変換される。このフォーマット変換は、１つのルール（ＩＴＵ−Ｒの規定ルール）に従って実行されるため、どの装置においても、同様の変換処理が行われる。
【０１３７】
フォーマット変換部４１５の生成したＢＴ．２０２０ＹＣｂＣｒ信号４２５は、ビット調整部４１６に入力される。
例えば、ＳＤＲ画像は８ビットの信号値から構成され、ＨＤＲ画像は１０ビットの信号値から構成される。
フォーマット変換部４１５の生成したＢＴ．２０２０ＹＣｂＣｒ信号４２５は、擬似ＨＤＲ画像であるが、元のＳＤＲ画像のＲＧＢ各信号値のビット幅が８ビットである場合、ＢＴ．２０２０ＹＣｂＣｒ信号４６３のＹＣｂＣＲの各信号値も８ビットとして設定されている。
ビット調整部４１６は、この８ビット信号を１０ビットに拡張し、１０ビットＢＴ．２０２０ＹＣｂＣｒ信号４２６を生成する。
【０１３８】
ビット調整部４１６の生成した１０ビットＢＴ．２０２０ＹＣｂＣｒ信号４２６は、解像度変換部４１７に入力される。
解像度変換部４１７は、出力画像を表示部の解像度（４Ｋ）に合わせる解像度変換処理を実行する。
元々のサブコンテンツは、ＳＤＲ画像であり２Ｋ画像であるため、この解像度変換（２Ｋ→４Ｋ）を実行して、表示部の解像度に合わせる処理を実行する。
【０１３９】
解像度変換部４１７は、１０ビットＢＴ．２０２０ＹＣｂＣｒ信号４２６に対して、表示部の解像度（４Ｋ）に合わせる解像度変換処理を実行して、４Ｋ対応１０ビットＢＴ．２０２０ＹＣｂＣｒ信号４２７を生成する。
解像度変換部４１７生成した４Ｋ対応１０ビットＢＴ．２０２０ＹＣｂＣｒ信号４２７は、画像重畳表示制御部４３０に入力される。
【０１４０】
画像重畳表示制御部４３０は、メインコンテンツソース４０１から出力されるメインコンテンツ画像データ４０２と、解像度変換部４５３の生成した４Ｋ対応１０ビットＢＴ．２０２０ＹＣｂＣｒ信号４６５を入力し、これらの画像の重畳処理を実行して表示部に対する出力画像データを生成する。
【０１４１】
なお、メインコンテンツソース４０１から出力されるメインコンテンツ画像データ４０２は真のＨＤＲ画像である。
これに対して、解像度変換部４５３の生成した４Ｋ対応１０ビットＢＴ．２０２０ＹＣｂＣｒ信号４６５は、ＳＤＲ画像に基づく画像変換によって生成した疑似ＨＤＲ画像である。
【０１４２】
すなわち、疑似的なＨＤＲ画像であるサブコンテンツと、真のＨＤＲ画像であるメインコンテンツが、画像重畳表示制御部４３０において、重畳処理がなされ、表示部に表示される。
表示部には、図に示す表示画像４４０が表示される。
表示画像４４０は、ＨＤＲ画像であるメインコンテンツ４４１の一部領域に、擬似ＨＤＲ画像であるサブコンテンツ４４２が重畳して表示された画像となる。
【０１４３】
図１６に示す例の場合、メインコンテンツ４４１が真のＨＤＲ画像、サブコンテンツ４４２が擬似ＨＤＲ画像である。
先に説明したように、画像変換によって生成される擬似ＨＤＲ画像は、真のＨＤＲ画像とは異なる画像であり、やはり、視聴者に対して、２つの画像間の差異に基づく違和感を与えてしまうことになる。
【０１４４】
また、図１６を参照して説明したように、ＳＤＲ画像から、擬似ＨＤＲ画像を生成するためには、リニア変換、色空間変換、ＯＥＴＦ変換等、複数の処理を順次、実行する必要があり、処理負荷や処理時間が大きくなるという問題がある。
【０１４５】
［５．複数コンテンツの重畳画像を統一感のある画像として出力する処理例について］
次に、複数コンテンツの重畳画像を統一感のある画像として出力する処理例について説明する。
上述したように、メインコンテンツとサプコンテンツがＨＤＲ画像コンテンツと、ＳＤＲ画像コンテンツの組み合わせである場合、ＳＤＲ画像コンテンツに対する色空間等の画像変換処理を実行して擬似ＨＤＲ画像コンテンツを生成しても、本来のＨＤＲ画像コンテンツとは異なる色調や、輝度の設定される可能性がある。
【０１４６】
このようなＳＤＲ画像コンテンツに基づいて生成した疑似ＨＤＲ画像と、真のＨＤＲ画像とを、表示部に並列に表示すると、２つの画像の差異が認識され、視聴者に違和感を与えてしまう恐れがある。
【０１４７】
また、図１６を参照して説明したように、ＳＤＲ画像から擬似ＨＤＲ画像を生成するためには、リニア変換、色空間変換、ＯＥＴＦ変換等、複数の処理を順次、実行する必要があり、処理負荷や処理時間が大きくなるという問題がある。
【０１４８】
以下、このような問題を解決し、複数コンテンツの重畳画像を統一感のある画像として出力する処理例について説明する。
【０１４９】
本実施例では、例えば、先に、図１５、図１６を参照して説明したと同様、表示部に対して、メインコンテンツと、サブコンテンツを重畳して表示する処理例について説明する。
【０１５０】
本実施例では、図１７に示すように、メインコンテンツソース５０１から出力されるメインコンテンツ画像データ５０２か、ＨＤＲ画像である場合、サブコンテンツソース５１１から出力されるサブコンテンツ画像データ５１２を、その後の画像変換部５２０の処理によってＨＤＲ画像を出力可能なＲＧＢ値（ｓＲＧＢ値）から構成される画像データとする。
【０１５１】
このような設定とすることで、画像重畳表示部５７０の生成する重畳画像である表示画像５８０に含まれるメインコンテンツ５８１、サブコンテンツ５８２のいずれもＨＤＲ画像として表示され、色、輝度が一致した統一感のある画像出力が可能となる。
【０１５２】
具体的には、サブコンテンツソース５１１が生成するサブコンテンツを、図１８に示すようなｓＲＧＢ値によって構成される画像データとする。
すなわち、図１８に示すように、例えばＢＤ−Ｊ等のサブコンテンツソース５１１が生成、または出力するサブコンテンツ画像データ５１２の画素値（ｓＲＧＢ信号）を、予め、ＨＤＲ画像対応の信号−輝度対応曲線（ＳＭＰＴＥ  ２０８４  ＥＯＴＦカーブ）に従った、ＢＴ．２０２０−ＹＣｂＣｒ信号の変換値として設定する。
【０１５３】
具体的には、ＨＤＲ画像相当のＢＴ．２０２０−ＹＣｂＣｒ信号に基づいて、ＲＧＢ−ＹＣｂＣｒ変換テーブル（ＩＴＵ−Ｒ）から算出される変換値としてのＲＧＢ値（ｓＲＧＢ）を設定する。設定値は、ＨＤＲ画像対応の信号−輝度対応曲線（ＳＭＰＴＥ  ２０８４  ＥＯＴＦカーブ）に従った信号値とする。
【０１５４】
サブコンテンツソース５１１の出力コンテンツを、このような設定のｓＲＧＢ値によって構成される画像データとすることで、先に図１６を参照して説明した構成中のリニア変換部４１２、色空間変換部４１３、ＯＥＴＦ変換部４１４、これらの各部の処理を全て省略することが可能となる。
【０１５５】
すなわち、サブコンテンツソース５１１の出力するｓＲＧＢ信号を、直接、図１６に示すフォーマット変換部４１５に入力し、規定のフォーマット変換規則（ＩＴＵ−Ｒ）に従ってＹＣｂＣｒ信号に変換することができる。この変換後のＹＣｂＣｒ信号はＨＤＲ画像対応の色空間であるＢＴ．２０２０色空間におけるＹＣｂＣｒ信号となる。
【０１５６】
ｓＲＧＢ−ＹＣｂＣｒのフォーマット変換は、１つの変換規定ルール、すなわち、ＩＴＵ−Ｒにおいて規定された変換テーブル等を利用して行われるので、どの装置においても同一の変換処理が実行され、装置によって異なる処理とはならず、一律のＨＤＲ画像相当のＹＣｂＣｒ信号を生成することができる。
【０１５７】
フォーマット変換部におけるフォーマット変換後は、図１６に示すと同様の処理を実行する。ビット調整部４１６によるビット数調整、解像度変換部４１７における解像度変換を実行して、画像重畳表は自制御部４３０において、メインコンテンツとの重畳処理を実行する。
これらの処理によって表示部に出力される画像は、メインコンテンツ、サブコンテンツともＨＤＲ画像として表示され、違和感のない統一感のある画像となる。
【０１５８】
このような処理を実現するためには、サブコンテンツの画像データの信号値を、図１８を参照して説明した特殊な信号値に設定することが必要となる。
すなわち、出力に適用するＢＴ．２０２０−ＹＣｂＣｒ信号に基づいて、ＲＧＢ−ＹＣｂＣｒ変換テーブル（ＩＴＵ−Ｒ）から算出される変換値（ｓＲＧＢ）を設定することが必要である。
【０１５９】
この特殊な信号値を持つサブコンテンツの生成シーケレンスの一例について、図１９に示すフローを参照して説明する。
図１９に示すフローチャートに従った処理は、サブコンテンツの生成装置としての情報処理装置において実行される。
以下、各ステップの処理について説明する。
【０１６０】
（ステップＳ１１）
まず、出力用画像と同様のＨＤＲ画像相当のＢＴ．２０２０−ＹＣｂＣｒ信号（ＨＤＲ画像対応）を生成する。
すなわち、出力画像となるサブコンテンツ画像の構成画素値としてのＹＣｂＣｒの各信号値を、ＨＤＲ画像に対応する色空間であるＢＴ．２０２０色空間におけるＹＣｂＣｒ信号値として算出する。
【０１６１】
（ステップＳ１２）
次に、ステップＳ１１において生成したＨＤＲ画像相当のＢＴ．２０２０−ＹＣｂＣｒ信号に基づいて、これらのＹＣｂＣｒ信号に対応するｓＲＧＢ信号を算出する。
この算出処理は、規定のＲＧＢ−ＹＣｂＣＲ変換テーブル、すなわち、フォーマット変換規則であるＩＴＵ−Ｒ規則に従って算出する。
前述したように、ｓＲＧＢ−ＹＣｂＣｒフォーマット変換は、１つの変換規則（ＩＴＵ−Ｒ変換規則）に従って実行することができる。
【０１６２】
（ステップＳ１３）
最後に、ステップＳ１３において、サブコンテンツソース（例えばＢＤ−Ｊ）の出力コンテンツの構成画素値を、ステップＳ１２で算出したｓＲＧＢ値に設定する。設定値は、ＨＤＲ画像対応の信号−輝度対応曲線（ＳＭＰＴＥ  ２０８４  ＥＯＴＦカーブ）に従った信号値とする。
【０１６３】
例えばＢＤ−Ｊ等のサブコンテンツソースは、これらの処理によって生成したｓＲＧＢ値を構成画素値として有するサブコンテンツ画像を出力する。
このようなサブコンテンツを出力することで、先に説明したように、図１６に示す構成中のリニア変換部４１２、色空間変換部４１３、ＯＥＴＦ変換部４１４、これらの各部の処理を全て省略することが可能となる。
【０１６４】
すなわち、サブコンテンツソース５１１の出力するｓＲＧＢ信号を、直接、図１６に示すフォーマット変換部４１５に入力し、規定のフォーマット変換規則（ＩＴＵ−Ｒ）に従ってＹＣｂＣｒ信号に変換して、ＨＤＲ画像対応の色空間であるＢＴ．２０２０色空間におけるＹＣｂＣｒ信号を生成することができる。
【０１６５】
上記の設定を持つｓＲＧＢ値を有するサブコンテンツを出力するサブコンテンツソースを有する構成における重畳画像表示処理構成について、図２０を参照して説明する。
【０１６６】
図２０は、メインコンテンツがＨＤＲ画像であり、サブコンテンツが、上述したｓＲＧＢ値、すなわち、図１８、図１９を参照して説明したｓＲＧＢ値を構成画素値として設定した画像を有するサブコンテンツである場合の重畳画像表示処理例である。
【０１６７】
メインコンテンツソース５０１から、メインコンテンツ画像データ５０２が、再生画像データとして出力される。
一方、サブコンテンツソース５１１からは、サブコンテンツ画像データであるｓＲＧＢ信号５１２がフォーマット変換部５２１に出力される。
【０１６８】
ここで、サブコンテンツソース５１１が出力するｓＲＧＢ信号５１２は、ＨＤＲ画像対応の色空間上のＹＣｂＣｒ信号、すなわち、ＢＴ．２０２０−ＹＣｂＣｒ信号に基づいて、ＲＧＢ−ＹＣｂＣｒ変換テーブル（ＩＴＵ−Ｒ）から算出される変換値（ｓＲＧＢ）である。このｓＲＧＢ信号値は、先に図３（Ａ）を参照して説明したＨＤＲ画像対応の信号−輝度対応曲線（ＳＭＰＴＥ  ２０８４  ＥＯＴＦカーブ）に従った信号値である。
【０１６９】
サブコンテンツソース５１１の出力コンテンツを、このような設定のｓＲＧＢ値によって構成される画像データとすることで、先に図１６を参照して説明した構成中のリニア変換部４１２、色空間変換部４１３、ＯＥＴＦ変換部４１４、これらの各部の処理を全て省略することが可能となる。
【０１７０】
サブコンテンツソース５１１から出力されるｓＲＧＢ信号５１２は、フォーマット変換部５２１に入力される。
フォーマット変換部５２１は、サブコンテンツソース５１１から出力されるｓＲＧＢ信号５１２を入力して、フォーマット変換を行い、ＹＣｂＣｒ信号からなるＢＴ．２０２０ＹＣｂＣｒ信号５３１を生成する。
【０１７１】
このＲＧＢ−ＹＣｂＣｒ信号間のフォーマット変換は、ＩＴＵ−Ｒ変換規則に従って行われる。例えば、ＲＧＢ信号と、ＹＣｂＣＲ信号値の対応関係を記録したＩＴＵ−Ｒ変換テーブルを利用して、ＲＧＢ各信号値が、ＹＣｂＣｒ各信号値に変換される。このフォーマット変換は、１つのルール（ＩＴＵ−Ｒの規定ルール）に従って実行されるため、どの装置においても、同様の変換処理が行われる。
【０１７２】
前述したように、サブコンテンツソース５１１から出力されるｓＲＧＢ信号５１２は、ＨＤＲ画像対応の色空間上のＹＣｂＣｒ信号、すなわち、ＢＴ．２０２０−ＹＣｂＣｒ信号に基づいて、ＲＧＢ−ＹＣｂＣｒ変換テーブル（ＩＴＵ−Ｒ）から算出される変換値（ｓＲＧＢ）である。
従って、フォーマット変換部５２１において、ＲＧＢ−ＹＣｂＣｒ変換テーブル（ＩＴＵ−Ｒ）を適用して算出したＹＣｂＣｒ信号は、ＨＤＲ画像対応の色空間上のＹＣｂＣｒ信号、すなわち、ＢＴ．２０２０−ＹＣｂＣｒ信号となる。
【０１７３】
フォーマット変換部５２１の生成したＢＴ．２０２０ＹＣｂＣｒ信号５３１は、ビット調整部５２２に入力される。
例えば、サブコンテンツソース５１１から出力されるｓＲＧＢ信号５１２や、フォーマット変換部５２１の生成したＢＴ．２０２０ＹＣｂＣｒ信号５３１は８ビットの信号値から構成され、出力用ＨＤＲ画像は１０ビットの信号値から構成される。
ビット調整部５２２は、この８ビット信号を１０ビットに拡張し、１０ビットＢＴ．２０２０ＹＣｂＣｒ信号５３２を生成する。
【０１７４】
ビット調整部５２２の生成した１０ビットＢＴ．２０２０ＹＣｂＣｒ信号５３２は、解像度変換部５２３に入力される。
解像度変換部５２３は、出力画像を表示部の解像度（４Ｋ）に合わせる解像度変換処理を実行する。
元々のサブコンテンツが、２Ｋ画像である場合、解像度変換（２Ｋ→４Ｋ）を実行して、表示部の解像度に合わせる処理を実行する。
【０１７５】
解像度変換部５２３は、１０ビットＢＴ．２０２０ＹＣｂＣｒ信号５３２に対して、表示部の解像度（４Ｋ）に合わせる解像度変換処理を実行して、４Ｋ対応１０ビットＢＴ．２０２０ＹＣｂＣｒ信号５３３を生成する。
解像度変換部５２３の生成した４Ｋ対応１０ビットＢＴ．２０２０ＹＣｂＣｒ信号５３３は、画像重畳表示制御部５７０に入力される。
【０１７６】
画像重畳表示制御部５７０は、メインコンテンツソース５０１から出力されるメインコンテンツ画像データ５０２と、解像度変換部５２３の生成した４Ｋ対応１０ビットＢＴ．２０２０ＹＣｂＣｒ信号５３３を入力し、これらの画像の重畳処理を実行して表示部に対する出力画像データを生成する。
【０１７７】
なお、メインコンテンツソース５０１から出力されるメインコンテンツ画像データ５０２はＨＤＲ画像である。
また、解像度変換部５２３の生成した４Ｋ対応１０ビットＢＴ．２０２０ＹＣｂＣｒ信号５３３は、サブコンテンツソース５１１の出力するｓＲＧＢ値による構成画像に基づいて生成されたＨＤＲ画像である。
【０１７８】
サブコンテンツソース５１１の出力するｓＲＧＢ値は、ＨＤＲ画像対応の色空間上のＹＣｂＣｒ信号、すなわち、ＢＴ．２０２０−ＹＣｂＣｒ信号に基づいて、ＲＧＢ−ＹＣｂＣｒ変換テーブル（ＩＴＵ−Ｒ）から算出される変換値（ｓＲＧＢ）である。
【０１７９】
従って、フォーマット変換部５２１において、ＲＧＢ−ＹＣｂＣｒ変換テーブル（ＩＴＵ−Ｒ）を適用して算出したＹＣｂＣｒ信号は、ＨＤＲ画像に相当する信号であり、解像度変換部５２３の出力する４Ｋ対応１０ビットＢＴ．２０２０ＹＣｂＣｒ信号５３３は、ＨＤＲ画像となる。
【０１８０】
画像重畳表示制御部５７０は、メインコンテンツソース５０１から出力されるＨＤＲ画像であるメインコンテンツ画像データ５０２と、解像度変換部５２３の生成したＨＤＲ画像である４Ｋ対応１０ビットＢＴ．２０２０ＹＣｂＣｒ信号５３３を入力し、これらの画像の重畳処理を実行して表示部に対する出力画像データを生成する。
【０１８１】
表示部には、図に示す表示画像５８０が表示される。
表示画像５８０は、ＨＤＲ画像であるメインコンテンツ５８１の一部領域に、ＨＤＲ画像であるサブコンテンツ５８２が重畳して表示された画像となる。
【０１８２】
表示部に表示されるメインコンテンツ５８１、サブコンテンツ５８２はいずれもＨＤＲ画像であり、均一な色空間、輝度レベルを有する画像同士の重畳画像となり、２つの画像コンテンツの差異を感じることのない、統一感のある画像出力が実現される。
【０１８３】
［６．コンテンツ生成、記録処理シーケンスと再生シーケンスについて］
次に、コンテンツ生成、記録処理シーケンスと再生シーケンスについて説明する。
図２１は、サブコンテンツの生成と、生成したサブコンテンツをディスクに記録する処理シーケンスを説明するフローチャートである。
図２２は、ディスクに記録されたサブコンテンツの再生処理シーケンスを説明するフローチャートである。
【０１８４】
まず、図２１に示すフローチャートを参照してサブコンテンツの生成と、生成したサブコンテンツをディスクに記録する処理シーケンスについて説明する。
なお、図２１に示すフローに従った処理は、コンテンツの生成処理、あるいはディスクの製造処理、ディスクに対するデータ記録処理、これらのいずれかを実行する情報処理装置において実行される。
【０１８５】
これらの情報処理装置は、例えば、メインコンテンツの生成処理、生成したメインコンテンツのディスクに対する記録処理、さらに、サブコンテンツの生成、記録処理を行なう。
図２１に示すフローは、メインコンテンツの生成。記録処理については省略し、サブコンテンツの生成、記録処理のみを示すフローチャートである。
【０１８６】
なお、メインコンテンツは、ＨＤＲ画像コンテンツである場合と、ＨＤＲ画像でない場合、例えばＳＤＲ画像である場合があり、これらの２つの場合によって、サブコンテンツの生成、記録シーケンスが異なることになる。
【０１８７】
例えば、メインコンテンツがＨＤＲ画像である場合、生成記録するサブコンテンツは、図１８〜図２０を参照して説明した特殊なＲＧＢ値を有する画像、すなわちＨＤＲ画像と相当のコンテンツとなる。
一方、メインコンテンツがＳＤＲ画像である場合、生成記録するサブコンテンツは、通常のＳＤＲコンテンツとなる。
【０１８８】
このようにサブコンテンツの設定（ＨＤＲまたはＳＤＲ）をメインコンテンツの設定（ＨＤＲまたはＳＤＲ）に一致させることで、表示部に表示されるメインコンテンツとサブコンテンツの重畳画像を統一感のある重畳画像とすることが可能となる。
【０１８９】
以下、図２１に示すフローチャートの各ステップの処理について、順次、説明する。
なお、図２１に示すフローに従った処理は、情報処理装置のデータ処理部において、例えば情報処理装置の記憶部に格納されたプログラムに従って実行される。データ処理部は、プログラム実行機能を有するＣＰＵ等によって構成される。
【０１９０】
（ステップＳ１０１）
まず、情報処理装置のデータ処理部は、ステップＳ１０１において、既に作成済みのメインコンテンツがＨＤＲ画像コンテンツであるか、ＳＤＲ画像コンテンツであるかを判定する。
メインコンテンツがＨＤＲ画像コンテンツである場合は、ステップＳ１０４に進む。
一方、メインコンテンツがＳＤＲ画像コンテンツである場合は、ステップＳ１０２に進む。
【０１９１】
（ステップＳ１０２）
ステップＳ１０１の判定処理において、メインコンテンツがＳＤＲ画像コンテンツである場合は、ステップＳ１０２に進む。
ステップＳ１０２では、サブコンテンツを構成する画像データの画素値（ｓＲＧＢ信号値）を、ＳＤＲ画像対応のｓＲＧＢ信号として算出する。
すなわち、サブコンテンツの画像の各構成画素値を、例えばＢＴ．７０９色空間やＢＴ．１８８６色空間等の通常のＳＤＲ画像データに対応する色空間内の色情報からなる画素値として算出する。
【０１９２】
（ステップＳ１０３）
次に、情報処理装置のデータ処理部は、ステップＳ１０２で算出したサブコンテンツの構成画素値を、サブコンテンツの画素値として設定する。設定値は、ＳＤＲ画像対応の信号−輝度対応曲線（ガンマ２．４カーブ）に従った信号値とする。
【０１９３】
（ステップＳ１０４）
一方、ステップＳ１０１の判定処理において、メインコンテンツがＨＤＲ画像コンテンツである場合は、ステップＳ１０４に進む。
ステップＳ１０４では、サブコンテンツを構成する画像データの画素値（ｓＲＧＢ信号値）を、ＨＤＲ対応のｓＲＧＢ信号として算出する。
【０１９４】
具体的には、ＨＤＲ画像として出力するＨＤＲ画像相当のＢＴ．２０２０−ＹＣｂＣｒ信号に基づいて、これらのＹＣｂＣｒ信号に対応するｓＲＧＢ信号を算出する。
この算出処理は、規定のＲＧＢ−ＹＣｂＣＲ変換テーブル、すなわち、フォーマット変換規則であるＩＴＵ−Ｒ規則に従って算出する。
前述したように、ｓＲＧＢ−ＹＣｂＣｒフォーマット変換は、１つの変換規則（ＩＴＵ−Ｒ変換規則）に従って実行することができる。
【０１９５】
（ステップＳ１０５）
次に、ステップＳ１０５において、サブコンテンツの構成画素値を、算出したｓＲＧＢ値に設定する。設定値は、ＨＤＲ画像対応の信号−輝度対応曲線（ＳＭＰＴＥ  ２０８４  ＥＯＴＦカーブ）に従った信号値とする。
【０１９６】
（ステップＳ１０６〜Ｓ１０７）
ステップＳ１０３、またはステップＳ１０５の処理が終了すると、ステップＳ１０６において、サブコンテンツを構成する画像の信号値（ｓＲＧＢ）を画像ファイルに格納し、ステップＳ１０７において画像ファイルをディスクに記録する。
【０１９７】
これらの処理によって、
メインコンテンツがＨＤＲ画像である場合、サブコンテンツもＨＤＲ画像相当の画素値（ｓＲＧＢ）を有する画像データとしてディスクに記録される。
一方、メインコンテンツがＳＤＲ画像である場合、サブコンテンツもＳＤＲ画像相当の画素値（ｓＲＧＢ）を有する画像データとしてディスクに記録される。
【０１９８】
次に、これらのメインコンテンツと、サブコンテンツが記録されたディスクから、各コンテンツを読み出して重畳表示する再生処理のシーケンスについて図２２に示すフローチャートを参照して説明する。
【０１９９】
コンテンツ再生処理を実行する情報処理装置は、メインコンテンツがＨＤＲ画像であるか、ＳＤＲ画像であるかに応じて、サブコンテンツの再生シーケンスを変更する。
【０２００】
図２１に示すフローチャートを参照して説明したように、メインコンテンツがＨＤＲ画像である場合、サブコンテンツもＨＤＲ画像としてディスクに記録される。
すなわち、ディスクには、先に図１８〜図２０を参照して説明したＲＧＢ−ＹＣｂＣｒ変換規則（ＩＴＵ−Ｒ）に従って算出されるＲＧＢ値が設定されたＨＤＲ画像からなるサブコンテンツが記録される。
一方、メインコンテンツがＳＤＲ画像である場合、サブコンテンツもＳＤＲ画像としてディスクに記録される。
【０２０１】
メインコンテンツがＨＤＲ画像、サブコンテンツもＨＤＲ画像に相当する特殊なＲＧＢ値、すなわち、先に図１８〜図２０を参照して説明したＲＧＢ−ＹＣｂＣｒ変換規則（ＩＴＵ−Ｒ）に従って算出されるＲＧＢ値が設定された画像として記録されている場合、先に図２０を参照して説明した処理が実行される。
この場合、表示部には、メインコンテンツ、サブコンテンツともＨＤＲ画像としての表示が行われ、２つのコンテンツ間で色、輝度レベルの一致した統一感のある画像表示が行われることになる。
【０２０２】
一方、メインコンテンツ、サブコンテンツともＳＤＲ画像である場合は、先に、図１２を参照して説明した処理が実行される。
この場合、表示部には、メインコンテンツ、サブコンテンツともＳＤＲ画像としての表示が行われ、２つのコンテンツ間で色、輝度レベルの一致した統一感のある画像表示が行われることになる。
【０２０３】
なお、図２２に示すフローに従った処理は、情報処理装置のデータ処理部において、例えば情報処理装置の記憶部に格納されたプログラムに従って実行される。データ処理部は、プログラム実行機能を有するＣＰＵ等によって構成される。
以下、図２２に示すフローチャートの各ステップの処理について、順次説明する。
【０２０４】
（ステップＳ２０１）
まず、情報処理装置のデータ処理部は、ステップＳ２０１において、ディスクに記録されたメインコンテンツがＨＤＲ画像コンテンツであるか、ＳＤＲ画像コンテンツであるかを判定する。
メインコンテンツがＨＤＲ画像コンテンツである場合は、ステップＳ２２１に進む。
一方、メインコンテンツがＳＤＲ画像コンテンツである場合は、ステップＳ２１１に進む。
【０２０５】
（ステップＳ２１１）
ステップＳ２０１の判定処理において、メインコンテンツがＳＤＲ画像コンテンツである場合は、ステップＳ２１１に進む。
ステップＳ２１１以下では、サブコンテンツに対して、先に図１２を参照して説明した処理が実行される。
【０２０６】
ステップＳ２１１では、サブコンテンツ画像データであるＳＤＲ画像を構成する画像データの画素値（ｓＲＧＢ信号）に対して、リニア変換処理が実行される。
図１２に示すリニア変換部２２５の処理に相当する。
サブコンテンツは、ＳＤＲ画像であり、このＳＤＲ画像の各画素のｓＲＧＢの各信号値と輝度との対応関係は、図３（Ｂ）に示すガンマ２．４曲線に従った関係となる。
【０２０７】
リニア変換処理は、このガンマ２．４曲線に従った信号値と輝度との対応関係をリニアな関係にする処理として実行される。具体的には、ガンマ２．４曲線を適用したデガンマ処理により、信号値と輝度との対応関係をリニアな関係にする。
【０２０８】
（ステップＳ２１２）
図１２に示すリニア変換部２２５の生成したリニアｓＲＧＢ信号２２２ｂは、色空間変換部２２６に入力される。
サブコンテンツソース２２１の出力するサブコンテンツはＳＤＲ画像であり、ｓＲＧＢ値によって定義された色空間（ｓＲＧＢ色空間）における画素値が設定されている。
ステップＳ２１２では、これを、先に図５を参照して説明したＢＴ．７０９色空間に変換する。
この処理は、図１２に示す色空間変換部２２６の処理である。
【０２０９】
（ステップＳ２１３）
図１２に示す色空間変換部２２６は、色空間変換によって、生成したＢＴ．７０９リニアＲＧＢ信号２２２ｃをＯＥＴＦ変換部（光電変換部）２２７に入力する。
ステップＳ２１３では、ＯＥＴＦ変換部（光電変換部）２２７が、信号−輝度対応関係がリニアの関係にあるＢＴ．７０９リニアＲＧＢ信号２２２ｃに対するＯＥＴＦ変換（光電変換）処理を実行してＢＴ．７０９ＧＢ信号２２２ｄを生成する。
【０２１０】
このＯＥＴＦ変換部（光電変換部）２２７におけるＯＥＴＦ変換処理には、先に図３（Ｂ）を参照して説明したＳＤＲ画像対応の信号−輝度対応関係曲線、すなわち、ガンマ２．４曲線が利用される。
【０２１１】
ＯＥＴＦ変換部（光電変換部）２２７は、ガンマ２．４曲線を適用した光電変換処理により生成したＢＴ．７０９ＲＧＢ信号２２２ｄをフォーマット変換部２２８に出力する。
ＢＴ．７０９ＲＧＢ信号２２２ｄは、入出力特性（信号−輝度特性）が図３（Ｂ）に示すガンマ２．４曲線に従ったＳＤＲ信号である。
【０２１２】
（ステップＳ２１４）
次に、図１２に示すフォーマット変換部２２８は、ＢＴ．７０９ＲＧＢ信号２２２ｄを入力して、フォーマット変換を行い、ＹＣｂＣｒ信号からなるＢＴ．７０９ＹＣｂＣｒ信号２２２ｅを生成する。
【０２１３】
このＲＧＢ−ＹＣｂＣｒ信号間のフォーマット変換は、ＩＴＵ−Ｒ変換規則に従って行われる。例えば、ＲＧＢ信号と、ＹＣｂＣＲ信号値の対応関係を記録したＩＴＵ−Ｒ変換テーブルを利用して、ＲＧＢ各信号値が、ＹＣｂＣｒ各信号値に変換される。このフォーマット変換は、１つのルール（ＩＴＵ−Ｒの規定ルール）に従って実行されるため、どの装置においても、同様の変換処理が行われる。
【０２１４】
（ステップＳ２１５）
図１２に示すフォーマット変換部２２８の生成したＢＴ．７０９ＹＣｂＣｒ信号２２２ｅは、画像重畳表示制御部２３０に入力される。
画像重畳表示制御部２３０は、ステップＳ２１５において、図１２に示すメインコンテンツソース２１１から出力されるメインコンテンツ画像データ２１２と、フォーマット変換部２２８の生成したＢＴ．７０９ＹＣｂＣｒ信号２２２ｅを入力し、これらの画像の重畳処理を実行して表示部に対する出力画像データを生成する。
【０２１５】
なお、メインコンテンツソース２１１から出力されるメインコンテンツ画像データ２１２も、サブコンテンツソース２２１から出力される画像データに基づくＢＴ．７０９ＹＣｂＣｒ信号２２２ｅのいすがれもＳＤＲ画像である。
表示部には、図１２に示すような表示画像２３１が表示される。
表示画像２３１は、ＳＤＲ画像であるメインコンテンツ２３２の一部領域に、ＳＤＲ画像であるサブコンテンツ２３３が重畳して表示された画像となる。
メインコンテンツ２３２、サブコンテンツ２３３のいずれもＳＤＲ画像であり、各コンテンツ間に色や輝度レベルの差異が発生せず、統一感のある画像となる。
【０２１６】
一方、ステップＳ２０１において、メインコンテンツがＨＤＲ画像であると判定された場合、ステップＳ２２１〜Ｓ２２３の処理を実行する。
この場合、メインコンテンツがＨＤＲ画像であり、サブコンテンツは、ＨＤＲ画像に相当する特殊なＲＧＢ値、すなわち、先に図１８〜図２０を参照して説明したＲＧＢ−ＹＣｂＣｒ変換規則（ＩＴＵ−Ｒ）に従って算出されるＲＧＢ値が設定された画像として記録されている。
【０２１７】
コンテンツの制作者、ディスク製造者は、メインコンテンツがＨＤＲ画像である場合、サブコンテンツについては、上記のＨＤＲ画像に相当する特殊なＲＧＢ値を持つ画像からなるサブコンテンツを制作、またはディスクに記録する。
すなわち、先に説明した図２１に示すフローチャートに従った処理によって、ＨＤＲ画像に相当する特殊なＲＧＢ値を持つ画像からなるサブコンテンツを制作、またはディスクに記録する。
【０２１８】
ステップＳ２２１以下の処理は、先に、図２０を参照して説明した処理に相当する。
以下、ステップＳ２２１以下の各処理について説明する。
（ステップＳ２２１）
ステップＳ２２１の処理は、図２０に示すフォーマット変換部５２１の処理に相当する。
図２０に示すサブコンテンツソース５１１から、サブコンテンツ画像データであるｓＲＧＢ信号５１２がフォーマット変換部５２１に出力される。
【０２１９】
サブコンテンツソース５１１が出力するｓＲＧＢ信号５１２は、ＨＤＲ画像対応の色空間上のＹＣｂＣｒ信号、すなわち、ＢＴ．２０２０−ＹＣｂＣｒ信号に基づいて、ＲＧＢ−ＹＣｂＣｒ変換テーブル（ＩＴＵ−Ｒ）から算出される変換値（ｓＲＧＢ）である。このｓＲＧＢ信号値は、先に図３（Ａ）を参照して説明したＨＤＲ画像対応の信号−輝度対応曲線（ＳＭＰＴＥ  ２０８４  ＥＯＴＦカーブ）に従った信号値である。
【０２２０】
フォーマット変換部５２１は、サブコンテンツソース５１１から出力されるｓＲＧＢ信号５１２を入力して、フォーマット変換を行い、ＹＣｂＣｒ信号からなるＢＴ．２０２０ＹＣｂＣｒ信号５３１を生成する。
【０２２１】
このＲＧＢ−ＹＣｂＣｒ信号間のフォーマット変換は、ＩＴＵ−Ｒ変換規則に従って行われる。例えば、ＲＧＢ信号と、ＹＣｂＣＲ信号値の対応関係を記録したＩＴＵ−Ｒ変換テーブルを利用して、ＲＧＢ各信号値が、ＹＣｂＣｒ各信号値に変換される。このフォーマット変換は、１つのルール（ＩＴＵ−Ｒの規定ルール）に従って実行されるため、どの装置においても、同様の変換処理が行われる。
前述したように、ＲＧＢ−ＹＣｂＣｒ変換テーブル（ＩＴＵ−Ｒ）を適用して算出したＹＣｂＣｒ信号は、ＨＤＲ画像対応の色空間上のＹＣｂＣｒ信号、すなわち、ＢＴ．２０２０−ＹＣｂＣｒ信号となる。
【０２２２】
（ステップＳ２２２）
次に、図２０に示すフォーマット変換部５２１の生成したＢＴ．２０２０ＹＣｂＣｒ信号５３１は、図２０に示すビット調整部５２２に入力される。
ステップＳ２２２の処理は、このビット調整部５２２と、解像度変換部５２３の処理に相当する。
【０２２３】
前述したように、サブコンテンツソース５１１から出力されるｓＲＧＢ信号５１２や、フォーマット変換部５２１の生成したＢＴ．２０２０ＹＣｂＣｒ信号５３１は８ビットの信号値から構成され、出力用ＨＤＲ画像は１０ビットの信号値から構成される。
ビット調整部５２２は、この８ビット信号を１０ビットに拡張し、１０ビットＢＴ．２０２０ＹＣｂＣｒ信号５３２を生成する。
【０２２４】
図２０に示すビット調整部５２２の生成した１０ビットＢＴ．２０２０ＹＣｂＣｒ信号５３２は、解像度変換部５２３に入力される。
解像度変換部５２３は、出力画像を表示部の解像度（４Ｋ）に合わせる解像度変換処理を実行する。
元々のサブコンテンツが、２Ｋ画像である場合、解像度変換（２Ｋ→４Ｋ）を実行して、表示部の解像度に合わせる処理を実行する。
【０２２５】
解像度変換部５２３は、１０ビットＢＴ．２０２０ＹＣｂＣｒ信号５３２に対して、表示部の解像度（４Ｋ）に合わせる解像度変換処理を実行して、４Ｋ対応１０ビットＢＴ．２０２０ＹＣｂＣｒ信号５３３を生成する。
【０２２６】
（ステップＳ２２３）
図２０に示す解像度変換部５２３の生成した４Ｋ対応１０ビットＢＴ．２０２０ＹＣｂＣｒ信号５３３は、画像重畳表示制御部５７０に入力される。
ステップＳ２２３の処理は、この画像重畳表示制御部５７０の処理に相当する。
【０２２７】
画像重畳表示制御部５７０は、メインコンテンツソース５０１から出力されるメインコンテンツ画像データ５０２と、解像度変換部５２３の生成した４Ｋ対応１０ビットＢＴ．２０２０ＹＣｂＣｒ信号５３３を入力し、これらの画像の重畳処理を実行して表示部に対する出力画像データを生成する。
【０２２８】
なお、図２０に示すメインコンテンツソース５０１から出力されるメインコンテンツ画像データ５０２はＨＤＲ画像である。
また、解像度変換部５２３の生成した４Ｋ対応１０ビットＢＴ．２０２０ＹＣｂＣｒ信号５３３は、サブコンテンツソース５１１の出力するｓＲＧＢ値による構成画像に基づいて生成されたＨＤＲ画像である。
【０２２９】
サブコンテンツソース５１１の出力するｓＲＧＢ値は、ＨＤＲ画像対応の色空間上のＹＣｂＣｒ信号、すなわち、ＢＴ．２０２０−ＹＣｂＣｒ信号に基づいて、ＲＧＢ−ＹＣｂＣｒ変換テーブル（ＩＴＵ−Ｒ）から算出される変換値（ｓＲＧＢ）である。
【０２３０】
従って、フォーマット変換部５２１において、ＲＧＢ−ＹＣｂＣｒ変換テーブル（ＩＴＵ−Ｒ）を適用して算出したＹＣｂＣｒ信号は、ＨＤＲ画像に相当する信号であり、解像度変換部５２３の出力する４Ｋ対応１０ビットＢＴ．２０２０ＹＣｂＣｒ信号５３３は、ＨＤＲ画像となる。
【０２３１】
画像重畳表示制御部５７０は、メインコンテンツソース５０１から出力されるＨＤＲ画像であるメインコンテンツ画像データ５０２と、解像度変換部５２３の生成したＨＤＲ画像である４Ｋ対応１０ビットＢＴ．２０２０ＹＣｂＣｒ信号５３３を入力し、これらの画像の重畳処理を実行して表示部に対する出力画像データを生成する。
【０２３２】
表示部には、図２０に示すに示す表示画像５８０が表示される。
表示画像５８０は、ＨＤＲ画像であるメインコンテンツ５８１の一部領域に、ＨＤＲ画像であるサブコンテンツ５８２が重畳して表示された画像となる。
【０２３３】
表示部に表示されるメインコンテンツ５８１、サブコンテンツ５８２はいずれもＨＤＲ画像であり、均一な色空間、輝度レベルを有する画像同士の重畳画像となり、２つの画像コンテンツの差異を感じることのない、統一感のある画像出力が実現される。
【０２３４】
［７．変換処理の制限を設けた処理例について］
図１７〜図２２を参照して説明した実施例では、コンテンツ再生処理を実行する情報処理装置は以下の処理を実行するものとして説明した。
すなわち、メインコンテンツがＨＤＲ画像である場合、サブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成して出力する処理を説明した。
【０２３５】
しかし、このような変換処理機能を必須とすると装置に大きな負荷がかかってしまうという課題を生じる。
以下、このような課題を考慮した処理例、すなわち、変換処理の制限を設けた処理例について説明する。
【０２３６】
画像データ変換処理は、例えば以下のように分類することができる。
（ａ）ダイナミックレンジ変換処理
（ｂ）色空間（Ｃｏｌｏｒ  ｓｐａｃｅ）変換処理
画像変換処理を大きく分類すると上記の２つの処理に分類できる。
【０２３７】
ＨＤＲ画像は、ＳＤＲ画像に比較して、ダイナミックレンジが広く、また出力可能な色空間も広い。
先に図１７〜図２２を参照して説明した実施例では、コンテンツ再生処理を実行する情報処理装置は、ダイナミックレンジ、色空間ともＨＤＲ画像の有するダイナミックレンジと、色空間を出力可能なデータ変換を行うものとして説明した。
【０２３８】
しかし、例えば、上述のようにこれらの変換処理は装置にとって大きな負荷となってしまう。また、規格において、色空間変換処理を必須とし、ダイナミックレンジ変換処理を任意にした場合、少なくとも２種類の装置が存在することとなる。１つは色空間変換処理とダイナミック変換処理の両方を行う第１の装置であり、もう１つは色空間変換処理を行うがダイナミック変換処理を行わない第２の装置である。このような状況下では、コンテンツ提供者は、第１の装置向け及び第２の装置向けにそれぞれメニューなどのサブコンテンツを準備する必要が生じてしまう可能性がある。さらに、色空間変換処理を行うときであっても、ＢＴ．２０２０のようにかなり広い色空間へ変換する場合、変換処理後の品質を担保できず、ユーザにとって好ましくない結果となる可能性がある。
【０２３９】
これらの課題を解決するため、例えば、コンテンツ単位、あるいは情報記録媒体（メディア）単位で以下のような処理制限を行う設定としてもよい。
（１）画像の広いダイナミックレンジへのダイナミックレンジ変換処理を禁止し、適用しない。
（２）画像の広色域な色空間（例えば、ＢＴ．２０２０）への色空間変換処理を禁止し、適用しない。ただし、処理負担が大きくない従来の色空間処理であるＢＴ．７０９で出力する場合には、同じ色空間への変換処理を行う。
例えば、上記の（１）〜（２）の処理制限をコンテンツ単位、あるいは情報記録媒体（メディア）単位等、所定のデータ単位で設定する構成としてもよい。
【０２４０】
処理制限の具体例としては、例えば、以下のような例がある。
（ａ）メインコンテンツがＢＴ．７０９色空間に従って生成された画像の場合、メインコンテンツとメニューなどのサブコンテンツを同じ色空間へ変換する処理を行った画像として出力する。また、出力先がＢＴ．２０２０に対応しておらずＢＴ．７０９にしか対応していない、又は、ユーザからの指示等により出力するコンテンツをＢＴ．７０９色空間に従った画像にする場合でも、同様に、サブコンテンツを同じＢＴ．７０９色空間へ変換する処理を行った画像として出力する。
（ｂ）メインコンテンツがＢＴ．２０２０色空間に従って生成された画像の場合、ＢＴ．７０９色空間に従って生成されたメニューなどのサブコンテンツをＢＴ．２０２０への色空間変換する処理を行わない。一方、ＢＴ．２０２０色空間に従って生成されたサブコンテンツは、そのままＢＴ．２０２０色空間に従った画像として出力する。また、ユーザ指示等により出力するコンテンツをＢＴ．２０２０色空間に従った画像にする場合でも、同様に、サブコンテンツをＢＴ．２０２０への色空間変換する処理を行わない。
（ｃ）従来のスタンダードなダイナミックレンジのメニューなどのサブコンテンツの画像を、ＳＭＰＴＥ  ２０８４（ＳＭＰＴＥ  ＳＴ  ２０８４）によって規定されるハイダイナミックレンジの画像へ変換することを禁止する。逆に、出力先がＳＭＰＴＥ  ２０８４によって記載されるハイダイナミックレンジに対応しておらず従来のスタンダードなダイナミックレンジにしか対応していない場合、ハイダイナミックレンジのコンテンツをスタンダードなダイナミックレンジに変換して出力する。
【０２４１】
例えば、このような処理制限を、コンテンツ単位、あるいは情報記録媒体（メディア）単位等、所定データ単位で設定し、コンテンツ再生を行う情報処理装置に実行させる設定としてもよい。
【０２４２】
このような情報処理装置は、メインコンテンツがＢＴ．７０９色空間の画像の場合、メインコンテンツ画像とサブコンテンツ画像を同じ色空間へ変換するので、色味が異なるというようなユーザの違和感を減らすことができる。一方、メインコンテンツがＢＴ．２０２０色空間の画像の場合、サブコンテンツ画像を処理負担の大きいＢＴ．２０２０色空間へ変換することを禁止するので、情報処理装置の負荷を減らすことができる。また、大きく変換が必要で品質が担保できないＢＴ．２０２０色空間へ変換することを禁止するので、ユーザにとっての不具合を減らすことができる。さらに、サブコンテンツ画像はハイダイナミックレンジへの変換を禁止するので、情報処理装置の負荷を減らすことができる。
【０２４３】
広い空間への色空間変換処理及び広いダイナミックへのダイナミック変換処理の両方を禁止する例を説明したが、どちらか一方のみを禁止する例としてもよい。たとえば、上記（ａ）、（ｂ）、（ｃ）のいずれかのうち１つのみ、又は、２つの組み合わせでも良い。
【０２４４】
［８．情報処理装置の構成例について］
次に、ディスク等の情報記録媒体の再生装置、記録装置、あるいは情報記録媒体製造装置として適用可能な情報処理装置のハードウェア構成例について、図２３を参照して説明する。
【０２４５】
ＣＰＵ（Ｃｅｎｔｒａｌ  Ｐｒｏｃｅｓｓｉｎｇ  Ｕｎｉｔ）７０１は、ＲＯＭ（Ｒｅａｄ  Ｏｎｌｙ  Ｍｅｍｏｒｙ）７０２、または記憶部７０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）７０３には、ＣＰＵ７０１が実行するプログラムやデータなどが記憶される。これらのＣＰＵ７０１、ＲＯＭ７０２、およびＲＡＭ７０３は、バス７０４により相互に接続されている。
【０２４６】
ＣＰＵ７０１はバス７０４を介して入出力インタフェース７０５に接続され、入出力インタフェース７０５には、各種スイッチ、キーボード、マウス、マイクロホンなどよりなる入力部７０６、ディスプレイ、スピーカなどよりなる出力部７０７が接続されている。ＣＰＵ７０１は、入力部７０６から入力される指令に対応して各種の処理を実行し、処理結果を例えば出力部７０７に出力する。
【０２４７】
入出力インタフェース７０５に接続されている記憶部７０８は、例えばハードディスク等からなり、ＣＰＵ７０１が実行するプログラムや各種のデータを記憶する。通信部７０９は、インターネットやローカルエリアネットワークなどのネットワークを介したデータ通信の送受信部、さらに放送波の送受信部として機能し、外部の装置と通信する。
【０２４８】
入出力インタフェース７０５に接続されているドライブ７１０は、磁気ディスク、光ディスク、光磁気ディスク、あるいはメモリカード等の半導体メモリなどのリムーバブルメディア７１１を駆動し、データの記録あるいは読み取りを実行する。
【０２４９】
［９．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２５０】
なお、本明細書において開示した技術は、以下のような構成をとることができる。
（１）  情報記録媒体記録データの再生処理を実行するデータ処理部を有し、
前記データ処理部は、
情報記録媒体に記録されたメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する情報処理装置。
【０２５１】
（２）前記規定の変換規則はＩＴＵ−Ｒ勧告に従った変換規則である（１）に記載の情報処理装置。
【０２５２】
（３）  前記サブコンテンツソースの出力する構成画素値であるＲＧＢの各値は、
ＨＤＲ画像相当のＢＴ．２０２０−ＹＣｂＣｒ信号に基づいて、ＩＴＵ−Ｒ勧告に従った変換規則であるＲＧＢ−ＹＣｂＣｒ変換規則に従って算出される変換値としてのＲＧＢ値である（２）に記載の情報処理装置。
【０２５３】
（４）  前記サブコンテンツソースの出力する構成画素値であるＲＧＢの各値は、
ＨＤＲ画像対応の信号−輝度対応曲線（ＳＭＰＴＥ  ２０８４  ＥＯＴＦカーブ）に従った信号値である（３）に記載の情報処理装置。
【０２５４】
（５）  前記データ処理部は、
前記メインコンテンツがＳＤＲ（Ｓｔａｎｄａｒｄ  Ｄｙｎａｍｉｃ  Ｒａｎｇｅ）画像である場合、
メインコンテンツに併せて再生するサブコンテンツの出力画像生成処理において、サブコンテンツソースから出力されるサブコンテンツの構成画素値であるＲＧＢ値を、ＳＤＲ画像相当のＢＴ．７０９−ＹＣｂＣｒ信号、または、ＢＴ．１８８６ＹＣｂＣｒ信号に変換し、変換信号を用いて出力画像信号を生成する（１）〜（４）いずれかに記載の情報処理装置。
【０２５５】
（６）  情報記録媒体記録データの生成処理を実行するデータ処理部を有し、
前記データ処理部は、
情報記録媒体に記録するメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する情報処理装置。
【０２５６】
（７）  前記規定の変換規則はＩＴＵ−Ｒ勧告に従った変換規則である（６）に記載の情報処理装置。
【０２５７】
（８）  前記サブコンテンツの構成画素値であるＲＧＢの各値は、
ＨＤＲ画像相当のＢＴ．２０２０−ＹＣｂＣｒ信号に基づいて、ＩＴＵ−Ｒ勧告に従った変換規則であるＲＧＢ−ＹＣｂＣｒ変換規則に従って算出される変換値である（７）に記載の情報処理装置。
【０２５８】
（９）  前記サブコンテンツの構成画素値であるＲＧＢの各値は、
ＨＤＲ画像対応の信号−輝度対応曲線（ＳＭＰＴＥ  ２０８４  ＥＯＴＦカーブ）に従った信号値である（８）に記載の情報処理装置。
【０２５９】
（１０）  前記データ処理部は、
前記メインコンテンツがＳＤＲ（Ｓｔａｎｄａｒｄ  Ｄｙｎａｍｉｃ  Ｒａｎｇｅ）画像である場合、
メインコンテンツに併せて情報記録媒体に記録するサブコンテンツの生成処理において、
サブコンテンツの構成画素値であるＲＧＢ値を、ＳＤＲ画像相当のＢＴ．７０９色空間、または、ＢＴ．１８８６色空間に対応するＲＧＢ値を有する設定とする（６）〜（９）いずれかに記載の情報処理装置。
【０２６０】
（１１）  メインコンテンツ、およびメインコンテンツに併せて再生されるサブコンテンツを記録した情報記録媒体であり、
前記メインコンテンツがＨＤＲ（Ｈｉｇｈ  Ｄｙｎａｍｉｃ  Ｒａｎｇｅ）画像である場合、
前記サブコンテンツは、サブコンテンツ構成画素値であるＲＧＢ値が、規定の変換規則に従ってＨＤＲ画像対応のＹＣｂＣｒ信号から変換されるＲＧＢ値として設定されたサブコンテンツであり、
情報記録媒体からのコンテンツ再生を実行する再生装置において、再生するメインコンテンツとサブコンテンツの双方をＨＤＲ画像として出力可能とした情報記録媒体。
【０２６１】
（１２）  前記規定の変換規則はＩＴＵ−Ｒ勧告に従った変換規則である（１１）に記載の情報記録媒体。
【０２６２】
（１３）  前記サブコンテンツの構成画素値であるＲＧＢの各値は、
ＨＤＲ画像相当のＢＴ．２０２０−ＹＣｂＣｒ信号に基づいて、ＩＴＵ−Ｒ勧告に従った変換規則であるＲＧＢ−ＹＣｂＣｒ変換規則に従って算出される変換値である（１２）に記載の情報記録媒体。
【０２６３】
（１４）  前記サブコンテンツの構成画素値であるＲＧＢの各値は、
ＨＤＲ画像対応の信号−輝度対応曲線（ＳＭＰＴＥ  ２０８４  ＥＯＴＦカーブ）に従った信号値である（１３）に記載の情報記録媒体。
【０２６４】
（１５）  前記メインコンテンツがＳＤＲ（Ｓｔａｎｄａｒｄ  Ｄｙｎａｍｉｃ  Ｒａｎｇｅ）画像である場合、
前記サブコンテンツは、サブコンテンツ構成画素値であるＲＧＢ値が、ＳＤＲ画像相当のＢＴ．７０９色空間、または、ＢＴ．１８８６色空間に対応するＲＧＢ値を有する設定であり、
情報記録媒体からのコンテンツ再生を実行する再生装置において、再生するメインコンテンツとサブコンテンツの双方をＳＤＲ画像として出力可能とした（１１）〜（１４）いずれかに記載の情報記録媒体。
【０２６５】
（１６）  情報処理装置において実行する情報処理方法であり、
前記情報処理装置は、情報記録媒体記録データの再生処理を実行するデータ処理部を有し、
前記データ処理部は、
情報記録媒体に記録されたメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する情報処理方法。
【０２６６】
（１７）  情報処理装置において実行する情報処理方法であり、
前記情報処理装置は、情報記録媒体記録データの生成処理を実行するデータ処理部を有し、
前記データ処理部は、
情報記録媒体に記録するメインコンテンツがＨＤＲ（Ｈｉｇｈ  Ｄｙｎａｍｉｃ  Ｒａｎｇｅ）画像であるか否かを判定し、
メインコンテンツがＨＤＲ画像である場合、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する情報処理方法。
【０２６７】
（１８）  情報処理装置において情報処理を実行させるプログラムであり、
前記情報処理装置は、情報記録媒体記録データの再生処理を実行するデータ処理部を有し、
前記プログラムは、前記データ処理部に、
情報記録媒体に記録されたメインコンテンツがＨＤＲ（Ｈｉｇｈ  Ｄｙｎａｍｉｃ  Ｒａｎｇｅ）画像であるか否かを判定する処理を実行させ、
メインコンテンツがＨＤＲ画像である場合、さらに、
メインコンテンツに併せて再生するサブコンテンツの出力画像生成処理において、サブコンテンツソースから出力されるサブコンテンツの構成画素値であるＲＧＢ値を、フォーマット変換部に入力し、規定の変換規則に従ってＨＤＲ画像対応のＹＣｂＣｒ信号に変換し、変換信号を用いて出力画像信号を生成する処理を実行させるプログラム。
【０２６８】
（１９）  情報処理装置において情報処理を実行させるプログラムであり、
前記情報処理装置は、情報記録媒体記録データの生成処理を実行するデータ処理部を有し、
前記プログラムは、前記データ処理部に、
情報記録媒体に記録するメインコンテンツがＨＤＲ（Ｈｉｇｈ  Ｄｙｎａｍｉｃ  Ｒａｎｇｅ）画像であるか否かを判定する処理を実行させ、
メインコンテンツがＨＤＲ画像である場合、さらに、
メインコンテンツに併せて情報記録媒体に記録するサブコンテンツの生成処理において、
サブコンテンツの構成画素値であるＲＧＢ値を、規定の変換規則に従ってＨＤＲ画像対応のＹＣｂＣｒ信号から変換されるＲＧＢ値に設定する処理を実行させるプログラム。
【０２６９】
（２０）  情報記録媒体記録データの再生処理を実行するデータ処理部を有し、
前記データ処理部は、
前記情報記録媒体に記録されたメインコンテンツ画像とサブコンテンツ画像を重畳したコンテンツ重畳型出力画像の生成処理を実行する構成であり、
前記データ処理部は、
前記メインコンテンツ画像の色空間がＢＴ．７０９である場合、前記サブコンテンツ画像と前記メインコンテンツ画像の色空間を同じ色空間に設定して前記コンテンツ重畳型出力画像を生成し、
前記メインコンテンツ画像の色空間がＢＴ．２０２０である場合、前記サブコンテンツ画像の色空間をＢＴ．２０２０へ変換することなく前記コンテンツ重畳型出力画像を生成する情報処理装置。
【０２７０】
（２１）  前記データ処理部は、
前記メインコンテンツ画像のダイナミックレンジがＨＤＲ（Ｈｉｇｈ  Ｄｙｎａｍｉｃ  Ｒａｎｇｅ）画像対応のダイナミックレンジである場合、前記サブコンテンツ画像のダイナミックレンジをＨＤＲ画像対応のダイナミックレンジへ変換することなく前記コンテンツ重畳型出力画像を生成する（２０）に記載の情報処理装置。
【０２７１】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２７２】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２７３】
以上、説明したように、本開示の一実施例の構成によれば、ＨＤＲ画像とＳＤＲ画像の混在した出力が回避され、均一画質の画像出力が実現される。
具体的には、情報記録媒体に記録するメインコンテンツがＨＤＲ画像である場合、メインコンテンツに併せて情報記録媒体に記録するサブコンテンツの構成画素値であるＲＧＢ値を、規定の変換規則（ＩＴＵ−Ｒ）に従ってＨＤＲ画像対応のＹＣｂＣｒ信号から変換されるＲＧＢ値に設定する。再生装置は、サブコンテンツの出力画像生成処理において、サブコンテンツソースから出力されるサブコンテンツの構成画素値であるＲＧＢ値を、フォーマット変換部に入力し、規定の変換規則（ＩＴＵ−Ｒ）に従ってＨＤＲ画像対応のＹＣｂＣｒ信号に変換し、変換信号を用いて出力画像信号を生成する。
また、本開示の一実施例の構成によれば、ダイナミックレンジ変換処理と色空間処理を禁止することで、情報処理装置の負荷、コンテンツ作成者の負荷を減らすことができる。
具体的には、メインコンテンツがＨＤＲ画像であっても、サブコンテンツのＳＤＲ画像のダイナミック変換処理を行わない。また、メインコンテンツが広い色域空間であるＢＴ．２０２０に準拠した画像であっても、サブコンテンツのＢＴ．７０９に準拠した画像の広色域変換処理を行わない。
【符号の説明】
【０２７４】
１０  情報記録媒体
１１  管理情報設定部
１２  データ部
１０１  撮影部
１０２  グレーディング・マスタリング部
１０３  光電変換部
１０４  符号化部
１０５  記録部
１２０  記録メディア
１５１  復号部
１５２  電光変換部
１５３  表示信号生成部
１５４  表示部
２０１  メインコンテンツ
２０２  サブコンテンツ
２１１  メインコンテンツソース
２１２  メインコンテンツ画像データ
２２１  サブコンテンツソース
２２２  サブコンテンツン画像データ
２２５  リニア変換部
２２６  色空間変換部
２２７  ＯＥＴＦ変換部
２２８  フォーマット変換部
２３０  画像重畳表示部
２３１  表示画像
２３２  メインコンテンツ
２３３  サブコンテンツ
２４１  メインコンテンツソース
２４２  メインコンテンツ画像データ
２５１  サブコンテンツソース
２５２  サブコンテンツン画像データ
２６０  画像重畳表示部
２６１  表示画像
２６２  メインコンテンツ
２６３  サブコンテンツ
２７１  メインコンテンツソース
２７２  メインコンテンツ画像データ
２８１  サブコンテンツソース
２８２  サブコンテンツン画像データ
２９０  画像重畳表示部
２９１  表示画像
２９２  メインコンテンツ
２９３  サブコンテンツ
３１１  メインコンテンツソース
３１２  メインコンテンツ画像データ
３２１  サブコンテンツソース
３２２  サブコンテンツン画像データ
３３０  画像重畳表示部
３３１  表示画像
３３２  メインコンテンツ
３３３  サブコンテンツ
４０１  メインコンテンツソース
４０２  メインコンテンツ画像データ
４１１  サブコンテンツソース
４１２  リニア変換部
４１３  色空間変換部
４１４  ＯＥＴＦ変換部
４１５  フォーマット変換部
４１６  ビット数調整部
４１７  解像度変換部
４３０  画像重畳表示部
４３１  表示画像
４４１  メインコンテンツ
４４２  サブコンテンツ
５０１  メインコンテンツソース
５０２  メインコンテンツ画像データ
５１１  サブコンテンツソース
５１２  サブコンテンツン画像データ（ｓＲＧＢ信号）
５２１  フォーマット変換部
５２２  ビット調整部
５２３  解像度変換部
５７０  画像重畳表示部
５８０  表示画像
５８１  メインコンテンツ
５８２  サブコンテンツ
７０１  ＣＰＵ
７０２  ＲＯＭ
７０３  ＲＡＭ
７０４  バス
７０５  入出力インタフェース
７０６  入力部
７０７  出力部
７０８  記憶部
７０９  通信部
７１０  ドライブ
７１１  リムーバブルメディア
【図１】
2017097941.tif 000003
【図２】
2017097941.tif 000004
【図３】
2017097941.tif 000005
【図４】
2017097941.tif 000006
【図５】
2017097941.tif 000007
【図６】
2017097941.tif 000008
【図７】
2017097941.tif 000009
【図８】
2017097941.tif 000010
【図９】
2017097941.tif 000011
【図１０】
2017097941.tif 000012
【図１１】
2017097941.tif 000013
【図１２】
2017097941.tif 000014
【図１３】
2017097941.tif 000015
【図１４】
2017097941.tif 000016
【図１５】
2017097941.tif 000017
【図１６】
2017097941.tif 000018
【図１７】
2017097941.tif 000019
【図１８】
2017097941.tif 000020
【図１９】
2017097941.tif 000021
【図２０】
2017097941.tif 000022
【図２１】
2017097941.tif 000023
【図２２】
2017097941.tif 000024
【図２３】
2017097941.tif 000025